(57)【要約】【課題】ハウジングの強度をより向上させることのできるコネクタ接続体およびコネクタを得る。【解決手段】コネクタ接続体３０は、端子３２と、保持金具３４と、周壁部３１ｂを有するハウジング３１と、を備える。保持金具３４は、第１のＵ字状部３５と、第２のＵ字状部３６と、第３のＵ字状部３７と、第１の連結部３８と、第２の連結部３９と、を備える。ここで、コネクタ接続体３０を相手側のコネクタ接続体２０と対向する側が上方を向くように配置した状態で、第１のＵ字状部３５、第２のＵ字状部３６および第３のＵ字状部３７は上に凸となるように湾曲している。そして、第１の連結部３８は、第１のＵ字状部３５の下端及び第２のＵ字状部３６の下端の少なくとも何れかと連結され、第２の連結部３９は、第１のＵ字状部３５の下端及び第３のＵ字状部３７の下端の少なくとも何れかと連結されている。【選択図】図１１
2020115494.tif 000002
【特許請求の範囲】
【請求項１】
端子と、保持金具と、周壁部を有するハウジングと、を備えたコネクタ接続体であって、
前記周壁部は、一方向に延在する第１壁部と、前記一方向と交差する方向に延在し前記一方向において対向する第２壁部と第３壁部と、を有し、
前記保持金具は、
前記第１壁部に配置され、前記一方向に延在する第１のＵ字状部と、
前記第２壁部に配置された第２のＵ字状部と、
前記第３壁部に配置された第３のＵ字状部と、
前記第１のＵ字状部と前記第２のＵ字状部とを連結する第１の連結部と、
前記第１のＵ字状部と前記第３のＵ字状部とを連結する第２の連結部と、
を備え、
前記コネクタ接続体を相手側のコネクタ接続体と対向する側が上方を向くように配置した状態で、前記第１のＵ字状部、前記第２のＵ字状部および前記第３のＵ字状部は上に凸となるように湾曲しており、
前記第１の連結部は、前記第１のＵ字状部の下端及び前記第２のＵ字状部の下端の少なくとも何れかと連結され、
前記第２の連結部は、前記第１のＵ字状部の下端及び前記第３のＵ字状部の下端の少なくとも何れかと連結されていることを特徴とするコネクタ接続体。
【請求項２】
端子と、保持金具と、周壁部を有するハウジングと、を備えたコネクタ接続体であって、
前記周壁部は、一方向に延在する第１壁部と、前記一方向と交差する方向に延在し前記一方向において対向する第２壁部と第３壁部と、を有し、
前記保持金具は、
前記第１壁部に配置され、前記一方向に延在する第１のＵ字状部と、
前記第２壁部に配置された第２のＵ字状部と、
前記第３壁部に配置された第３のＵ字状部と、
前記第１のＵ字状部と前記第２のＵ字状部とを連結する第１の連結部と、
前記第１のＵ字状部と前記第３のＵ字状部とを連結する第２の連結部と、
を備え、
前記コネクタ接続体を相手側のコネクタ接続体と対向する側が上方を向くように配置した状態で、前記第１のＵ字状部、前記第２のＵ字状部および前記第３のＵ字状部は上に凸となるように湾曲しており、
前記第１の連結部と前記第２の連結部の少なくとも一部が、前記一方向において前記第２のＵ字状部と前記第３のＵ字状部との間に配置されていることを特徴とするコネクタ接続体。
【請求項３】
前記第１の連結部は、前記第１のＵ字状部の下端と前記第２のＵ字状部の下端とが連結され、
前記第２の連結部は、前記第１のＵ字状部の下端と前記第３のＵ字状部の下端とが連結されていることを特徴とする請求項１または請求項２に記載のコネクタ接続体。
【請求項４】
前記第１の連結部と前記第２の連結部の少なくとも一部が、前記ハウジングから露出していることを特徴とする請求項１〜３のいずれか１項に記載のコネクタ接続体。
【請求項５】
回路基板に固定される第１の固定部と第２の固定部と第３の固定部とを有し、
前記第１の固定部は、前記第１のＵ字状部における前記第２のＵ字状部及び前記第３のＵ字状部と連結されていない側から延設され、
前記第２の固定部は、前記第２のＵ字状部における前記第１のＵ字状部に連結されていない側から延設され、
前記第３の固定部は、前記第３のＵ字状部における前記第１のＵ字状部に連結されていない側から延設されていることを特徴とする請求項１〜４のいずれか１項に記載のコネクタ接続体。
【請求項６】
前記保持金具が、前記ハウジングにインサート成形されていることを特徴とする請求項１〜５のいずれか１項に記載のコネクタ接続体。
【請求項７】
請求項１〜６のいずれか１項に記載のコネクタ接続体と、前記相手側のコネクタ接続体を備えたことを特徴とするコネクタ。
【発明の詳細な説明】
【技術分野】
【０００１】
本発明は、コネクタ接続体およびコネクタに関する。
【背景技術】
【０００２】
従来、コネクタとして、ソケットハウジングにソケット端子を配設したソケット（一方のコネクタ接続体）と、ヘッダハウジングにヘッダ端子を配設したヘッダ（他方のコネクタ接続体）と、を備えるものが知られている（例えば、特許文献１参照）。
【０００３】
この特許文献１では、コネクタ接続体のハウジング（ソケットハウジングやヘッダハウジング）に保持金具を設けることで、コネクタ接続体のハウジングの強度の向上を図っている。
【先行技術文献】
【特許文献】
【０００４】
【特許文献１】特開２０１３−０６５５４１号公報
【発明の概要】
【発明が解決しようとする課題】
【０００５】
上記従来の技術によっても、コネクタ接続体のハウジングの強度を向上させることが可能であるが、コネクタ接続体のハウジングの強度をより向上させられるようにするのが好ましい。
【０００６】
そこで、本発明は、ハウジングの強度をより向上させることのできるコネクタ接続体およびコネクタを得ることを目的とする。
【課題を解決するための手段】
【０００７】
本発明の一例にかかるコネクタ接続体は、端子と、保持金具と、周壁部を有するハウジングと、を備える。また、前記周壁部は、一方向に延在する第１壁部と、前記一方向と交差する方向に延在し前記一方向において対向する第２壁部と第３壁部と、を有する。また、前記保持金具は、前記第１壁部に配置され、前記一方向に延在する第１のＵ字状部と、前記第２壁部に配置された第２のＵ字状部と、前記第３壁部に配置された第３のＵ字状部と、前記第１のＵ字状部と前記第２のＵ字状部とを連結する第１の連結部と、前記第１のＵ字状部と前記第３のＵ字状部とを連結する第２の連結部と、を備える。ここで、前記コネクタ接続体を相手側のコネクタ接続体と対向する側が上方を向くように配置した状態で、前記第１のＵ字状部、前記第２のＵ字状部および前記第３のＵ字状部は上に凸となるように湾曲している。そして、前記第１の連結部は、前記第１のＵ字状部の下端及び前記第２のＵ字状部の下端の少なくとも何れかと連結され、前記第２の連結部は、前記第１のＵ字状部の下端及び前記第３のＵ字状部の下端の少なくとも何れかと連結されている。
【０００８】
また、他の例にかかるコネクタ接続体は、端子と、保持金具と、周壁部を有するハウジングと、を備える。また、前記周壁部は、一方向に延在する第１壁部と、前記一方向と交差する方向に延在し前記一方向において対向する第２壁部と第３壁部と、を有する。また、前記保持金具は、前記第１壁部に配置され、前記一方向に延在する第１のＵ字状部と、前記第２壁部に配置された第２のＵ字状部と、前記第３壁部に配置された第３のＵ字状部と、前記第１のＵ字状部と前記第２のＵ字状部とを連結する第１の連結部と、前記第１のＵ字状部と前記第３のＵ字状部とを連結する第２の連結部と、を備える。ここで、前記コネクタ接続体を相手側のコネクタ接続体と対向する側が上方を向くように配置した状態で、前記第１のＵ字状部、前記第２のＵ字状部および前記第３のＵ字状部は上に凸となるように湾曲している。そして、前記第１の連結部と前記第２の連結部の少なくとも一部が、前記一方向において前記第２のＵ字状部と前記第３のＵ字状部との間に配置されている。
【０００９】
また、本発明にかかるコネクタは、前記コネクタ接続体と、前記相手側のコネクタ接続体を備えるものである。
【００１０】
本発明によれば、ハウジングの強度をより向上させることのできるコネクタ接続体およびコネクタを得ることができる。
【図面の簡単な説明】
【００１１】
【図１】本発明の一実施形態にかかるコネクタのヘッダを裏面側から視た斜視図である。
【図２】本発明の一実施形態にかかるコネクタのヘッダを表面側から視た斜視図である。
【図３】本発明の一実施形態にかかるコネクタのヘッダを示す図であって、（ａ）は側面図、（ｂ）は裏面図、（ｃ）は平面図、（ｄ）は正面図である。
【図４】本発明の一実施形態にかかるコネクタのヘッダハウジングを裏面側から視た斜視図である。
【図５】本発明の一実施形態にかかるコネクタのヘッダハウジングを表面側から視た斜視図である。
【図６】本発明の一実施形態にかかるコネクタのヘッダハウジングを示す図であって、（ａ）は側面図、（ｂ）は裏面図、（ｃ）は平面図、（ｄ）は正面図である。
【図７】本発明の一実施形態にかかるコネクタの第１のヘッダ端子を示す図であって、（ａ）は第１の斜視図、（ｂ）は第２の斜視図、（ｃ）は第３の斜視図、（ｄ）は第４の斜視図である。
【図８】本発明の一実施形態にかかるコネクタの第１のヘッダ端子を示す図であって、（ａ）は側面図、（ｂ）は平面図、（ｃ）は裏面図、（ｄ）は正面図、（ｅ）は背面図である。
【図９】本発明の一実施形態にかかるコネクタのヘッダ側保持金具を示す図であって、（ａ）は第１の斜視図、（ｂ）は第２の斜視図、（ｃ）は第３の斜視図、（ｄ）は第４の斜視図である。
【図１０】本発明の一実施形態にかかるコネクタのヘッダ側保持金具を示す図であって、（ａ）は第１の側面図、（ｂ）は平面図、（ｃ）は裏面図、（ｄ）は正面図、（ｅ）は背面図、（ｆ）は第２の側面図である。
【図１１】本発明の一実施形態にかかるコネクタのソケットを表面側から視た斜視図である。
【図１２】本発明の一実施形態にかかるコネクタのソケットを裏面側から視た斜視図である。
【図１３】本発明の一実施形態にかかるコネクタのソケットを示す図であって、（ａ）は側面図、（ｂ）は平面図、（ｃ）は裏面図、（ｄ）は正面図である。
【図１４】本発明の一実施形態にかかるコネクタのソケットハウジングを表面側から視た斜視図である。
【図１５】本発明の一実施形態にかかるコネクタのソケットハウジングを裏面側から視た斜視図である。
【図１６】本発明の一実施形態にかかるコネクタのソケットハウジングを示す図であって、（ａ）は側面図、（ｂ）は平面図、（ｃ）は裏面図、（ｄ）は正面図である。
【図１７】本発明の一実施形態にかかるコネクタの第１のソケット端子を示す図であって、（ａ）は第１の斜視図、（ｂ）は第２の斜視図、（ｃ）は第３の斜視図、（ｄ）は第４の斜視図である。
【図１８】本発明の一実施形態にかかるコネクタの第１のソケット端子を示す図であって、（ａ）は側面図、（ｂ）は平面図、（ｃ）は裏面図、（ｄ）は正面図、（ｅ）は背面図である。
【図１９】本発明の一実施形態にかかるコネクタの第２のソケット端子を示す図であって、（ａ）は第１の斜視図、（ｂ）は第２の斜視図、（ｃ）は第３の斜視図、（ｄ）は第４の斜視図である。
【図２０】本発明の一実施形態にかかるコネクタの第２のソケット端子を示す図であって、（ａ）は側面図、（ｂ）は平面図、（ｃ）は裏面図、（ｄ）は正面図、（ｅ）は背面図である。
【図２１】本発明の一実施形態にかかるコネクタのソケット側保持金具を示す図であって、（ａ）は第１の斜視図、（ｂ）は第２の斜視図、（ｃ）は第３の斜視図、（ｄ）は第４の斜視図である。
【図２２】本発明の一実施形態にかかるコネクタのソケット側保持金具を示す図であって、（ａ）は背面図、（ｂ）は平面図、（ｃ）は裏面図、（ｄ）は正面図、（ｅ）は第１の側面図、（ｆ）は第２の側面図である。
【図２３】本発明の一実施形態にかかるヘッダとソケットとが嵌合する直前の状態を示す図であって、第１のヘッダ端子および第１のソケット端子が配置された部位で切断した断面図である。
【図２４】本発明の一実施形態にかかるヘッダとソケットとが嵌合した状態を示す図であって、第１のヘッダ端子および第１のソケット端子が配置された部位で切断した断面図である。
【図２５】本発明の一実施形態にかかるヘッダとソケットとが嵌合する直前の状態を示す図であって、ヘッダ側保持金具および第２のソケット端子が配置された部位で切断した断面図である。
【図２６】本発明の一実施形態にかかるヘッダとソケットとが嵌合した状態を示す図であって、ヘッダ側保持金具および第２のソケット端子が配置された部位で切断した断面図である。
【発明を実施するための形態】
【００１２】
以下、本発明の実施形態について図面を参照しつつ詳細に説明する。
【００１３】
以下では、コネクタ（ヘッダ側ハウジングおよびソケット側ハウジング）の長手方向をＸ方向、コネクタ（ヘッダ側ハウジングおよびソケット側ハウジング）の幅方向（短手方向）をＹ方向、図２３から図２６におけるコネクタの上下方向をＺ方向として説明する。また、ソケットおよびヘッダは、図２３から図２６に示す状態における上側を上下方向上側（表面側）、下側を上下方向下側（裏面側）として説明する。
【００１４】
まず、図２３から図２６を参照しながら、本実施形態にかかるコネクタ１０の概要を説明する。
【００１５】
本実施形態にかかるコネクタ１０は、図２３から図２６に示すように、相互に嵌合するヘッダ（コネクタ接続体）２０とソケット（コネクタ接続体）３０とを備えている。本実施形態では、ヘッダ２０は、ヘッダ側信号用端子（第１のヘッダ端子）２２およびヘッダ側電源用端子（第２のヘッダ端子）２３が配設されるヘッダハウジング２１を有している。一方、ソケット３０は、ソケット側信号用端子（第１のソケット端子）３２およびソケット側電源用端子（第２のソケット端子）３３が配設されるソケットハウジング３１を有している。
【００１６】
そして、ヘッダハウジング２１とソケットハウジング３１とを嵌合させることで、ヘッダ側信号用端子２２とソケット側信号用端子３２とを接触させるとともに、ヘッダ側電源用端子２３とソケット側電源用端子３３とを接触させるようにしている。
【００１７】
さらに、ヘッダハウジング２１にはヘッダ側保持金具２４が配設されており、ソケットハウジング３１にはソケット側保持金具３４が配設されている。
【００１８】
ヘッダ側保持金具２４は、ヘッダハウジング２１の強度を高めるとともに、ヘッダ側保持金具２４が有する固定部を第２の回路基板４０に取付固定するために用いられるものである。
【００１９】
一方、ソケット側保持金具３４は、ソケットハウジング３１の強度を高めるとともに、ソケット側保持金具３４が有する固定部を第１の回路基板６０に取付固定するために用いられるものである。
【００２０】
ここで、本実施形態では、ヘッダ側電源用端子２３とヘッダ側保持金具２４とを一体に設け、ヘッダ側保持金具２４にヘッダ側電源用端子としての機能も持たせるようにしている。一方、ソケット側保持金具３４は、ソケット側電源用端子３３とは別部材で形成されている。すなわち、ソケット側保持金具３４を、ソケット側電源用端子３３とは別体に設けている。
【００２１】
なお、ヘッダ側電源用端子２３とヘッダ側保持金具２４とを別体に設けることも可能であるし、ソケット側保持金具３４とソケット側電源用端子３３とを一体に設けることも可能である。
【００２２】
なお、ヘッダ２０は第２の回路基板４０に装着されるものであり、ソケット３０は第１の回路基板６０に装着されるものである。
【００２３】
したがって、ヘッダ２０とソケット３０とを嵌合させると、ヘッダ２０を装着した第２の回路基板４０と、ソケット３０を装着した第１の回路基板６０とが電気的に接続されることとなる。
【００２４】
具体的には、本実施形態にかかるヘッダ２０を第２の回路基板４０上に実装することで、ヘッダ側信号用端子２２およびヘッダ側電源用端子２３が第２の回路基板４０上の回路パターン４１に電気的に接続されるようにしている。この第２の回路基板４０としては、プリント配線基板（Printed Circuit Board）やＦＰＣ（Flexible Printed Circuit）等を用いることができる。
【００２５】
また、本実施形態にかかるソケット３０を第１の回路基板６０上に実装することで、ソケット側信号用端子３２およびソケット側電源用端子３３が第１の回路基板６０上の回路パターン６１に電気的に接続されるようにしている。この第１の回路基板６０としても、プリント配線基板（Printed Circuit Board）やＦＰＣ（Flexible Printed Circuit）等を用いることができる。
【００２６】
なお、本実施形態にかかるコネクタ１０も、スマートフォーン等の携帯端末としての電子機器における回路基板同士を電気的に接続するために用いられることが想定されている。ただし、本発明のコネクタは、電子機器に用いられるのであれば、いかなる部品同士の電気的な接続に用いられてもよい。
【００２７】
次に、図１から図１０を参照しながら、コネクタ１０で用いられるヘッダ２０の構成を説明する。
【００２８】
ヘッダ２０は、上述したようにヘッダハウジング２１を備えている。このヘッダハウジング２１は、本実施形態では、絶縁性の合成樹脂によって平面視で全体的に矩形（長方形）状に成形されている（図１から図６参照）。
【００２９】
そして、ヘッダハウジング２１には、金属製のヘッダ側信号用端子２２、金属製のヘッダ側電源用端子２３および金属製のヘッダ側保持金具２４が配設されている。ヘッダ側信号用端子２２は、信号線に電気的に接続されて信号を伝達するために用いられる端子である。一方、ヘッダ側電源用端子２３は、電源線に電気的に接続されて電源を供給するために用いられる端子である。そして、上述したように、ヘッダ側保持金具２４は、ヘッダ側電源用端子２３と一体に形成されている。したがって、本実施形態では、ヘッダ側保持金具２４は、ヘッダハウジング２１の強度を高めつつ、電源線に電気的に接続されて電源を供給するために用いられている。
【００３０】
さらに、本実施形態では、ヘッダ側信号用端子２２とヘッダ側電源用端子２３とを、ヘッダハウジング２１の長手方向Ｘに沿って列状に配置している。
【００３１】
具体的には、ヘッダハウジング２１の一方の長辺に沿って、複数のヘッダ側信号用端子２２が所定ピッチをもって並設されている。そして、ヘッダハウジング２１の幅方向（短手方向）Ｙの一方側に並設された複数のヘッダ側信号用端子２２で、ヘッダ側信号用端子群（第１のヘッダ端子群）Ｇ３を構成している。
【００３２】
さらに、ヘッダハウジング２１の一方の長辺に沿って、１つのヘッダ側電源用端子２３が、１つのヘッダ側信号用端子群Ｇ３から離間するように並設されている。そして、ヘッダハウジング２１の幅方向（短手方向）Ｙの一方側に並設された１つのヘッダ側信号用端子群Ｇ３および１つのヘッダ側電源用端子２３で、ヘッダ側端子群Ｇ１を構成している。
【００３３】
また、ヘッダハウジング２１の他方の長辺に沿っても、複数のヘッダ側信号用端子２２が所定ピッチをもって並設されている。そして、ヘッダハウジング２１の幅方向（短手方向）Ｙの他方側に並設された複数のヘッダ側信号用端子２２で、ヘッダ側信号用端子群Ｇ３を構成している。
【００３４】
さらに、ヘッダハウジング２１の他方の長辺に沿って、１つのヘッダ側電源用端子２３が、１つのヘッダ側信号用端子群Ｇ３から離間するように並設されている。そして、ヘッダハウジング２１の幅方向（短手方向）Ｙの他方側に並設された１つのヘッダ側信号用端子群Ｇ３および１つのヘッダ側電源用端子２３で、ヘッダ側端子群Ｇ１を構成している。
【００３５】
このように、本実施形態では、ヘッダハウジング２１には、当該ヘッダハウジング２１の長手方向Ｘに沿って配設されたヘッダ側信号用端子群Ｇ３およびヘッダ側電源用端子２３で構成されるヘッダ側端子群Ｇ１が２列（複数列）配置されている。
【００３６】
また、本実施形態では、ヘッダハウジング２１の幅方向（短手方向）Ｙの一方側に形成されたヘッダ側端子群Ｇ１においては、ヘッダハウジング２１の長手方向Ｘの一方側にヘッダ側電源用端子２３が配置されている。そして、ヘッダハウジング２１の幅方向（短手方向）Ｙの他方側に形成されたヘッダ側端子群Ｇ１においては、ヘッダハウジング２１の長手方向Ｘの他方側にヘッダ側電源用端子２３が配置されている。
【００３７】
このように、本実施形態では、ヘッダ側電源用端子２３が、ヘッダハウジング２１の長手方向Ｘの一方側かつ幅方向（短手方向）Ｙの一方側、および、ヘッダハウジング２１の長手方向Ｘの他方側かつ幅方向（短手方向）Ｙの他方側の２箇所のみに配置されている。
【００３８】
言い換えると、ヘッダハウジング２１にはヘッダ側電源用端子２３が２つだけ配置されており、２つのヘッダ側電源用端子２３は、矩形（長方形）状のヘッダハウジング２１の対角部分にそれぞれ配置されている。
【００３９】
このとき、２つのヘッダ側電源用端子２３は、ヘッダハウジング２１の長手方向Ｘの両端に各ヘッダ側保持金具２４が配置されるようにした状態（ヘッダ側電源用端子２３よりもヘッダハウジング２１の長手方向Ｘの外側にヘッダ側保持金具２４が位置した状態）で、ヘッダハウジング２１に配置されている。
【００４０】
さらに、本実施形態では、一方の長辺側のヘッダ側信号用端子群Ｇ３と他方の長辺側のヘッダ側信号用端子群Ｇ３とが、ヘッダハウジング２１の長手方向Ｘにずれた状態で形成されるようにしている。
【００４１】
具体的には、一方のヘッダ側信号用端子群Ｇ３が、他方のヘッダ側信号用端子群Ｇ３に対してヘッダハウジング２１の長手方向Ｘに１ピッチだけずれた状態で形成されるように、ヘッダ側信号用端子２２を配置している。
【００４２】
こうすることで、一方のヘッダ側信号用端子群Ｇ３のＸ方向一端に配置されたヘッダ側信号用端子２２および他方のヘッダ側信号用端子群Ｇ３のＸ方向他端に配置されたヘッダ側信号用端子２２以外のヘッダ側信号用端子２２については、Ｙ方向で対向するように配置することができる。
【００４３】
そして、本実施形態では、一方のヘッダ側信号用端子群Ｇ３のＸ方向一端に配置されたヘッダ側信号用端子２２とＹ方向で重なり合うように、他方のヘッダ側端子群Ｇ１を構成するヘッダ側電源用端子２３を配置している。
【００４４】
また、他方のヘッダ側信号用端子群Ｇ３のＸ方向他端に配置されたヘッダ側信号用端子２２とＹ方向で重なり合うように、一方のヘッダ側端子群Ｇ１を構成するヘッダ側電源用端子２３を配置している。
【００４５】
次に、図４から図６を参照しながら、ヘッダハウジング２１の構成を説明する。
【００４６】
ヘッダハウジング２１は、板状壁部２１ａと、その周縁部に沿って略矩形環状に連続的に形成される周壁部２１ｂとで一方側（図５の下側）が開口した略箱状に形成されている。
【００４７】
そして、この周壁部２１ｂの内方には、凹部２１ｃ（図４参照）が形成されている。また、周壁部２１ｂの外周側下端には、外側に向かうにつれて上方（板状壁部２１ａ側）に位置するように傾斜したテーパ部２１ｄが形成されている。
【００４８】
なお、隣り合うヘッダ側信号用端子２２の間や、ヘッダ側信号用端子群Ｇ３とヘッダ側電源用端子２３との間の周壁部２１ｂは、Ｒ状（逆Ｕ字状）に湾曲形成されている。
【００４９】
また、本実施形態では、周壁部２１ｂは、幅方向（短手方向）Ｙに対向する一対の長手方向壁部２１ｅと、長手方向Ｘに対向する一対の短手方向壁部２１ｆと、を備えている。
【００５０】
そして、短手方向壁部２１ｆの幅方向Ｙの長さが、対向する２つの長手方向壁部２１ｅの距離（一方の長手方向壁部２１ｅの外面２１ｋから他方の長手方向壁部２１ｅの外面２１ｋまでの距離）とほぼ同一となるように形成されている。さらに、長手方向壁部２１ｅの長手方向Ｘの長さが、対向する２つの短手方向壁部２１ｆの距離（一方の短手方向壁部２１ｆの外面２１ｍから他方の短手方向壁部２１ｆの外面２１ｍまでの距離）とほぼ同一となるように形成されている。
【００５１】
このように、本実施形態では、ヘッダハウジング２１は、全体的に平面視略矩形状に形成されている。したがって、長手方向壁部２１ｅの外面２１ｋおよび短手方向壁部２１ｆの外面２１ｍが周壁部２１ｂの外面２１ｈとなっており、長手方向壁部２１ｅの内面２１ｎおよび短手方向壁部２１ｆの内面２１ｐが周壁部２１ｂの内面２１ｉとなっている。
【００５２】
次に、図７および図８を参照しながら、ヘッダ側信号用端子２２の構成を説明する。
【００５３】
ヘッダ側信号用端子２２は、金属成形により製造されており、導電体である。そして、このヘッダ側信号用端子２２は、ヘッダハウジング２１の側面から突出する付け根部（第１のヘッダ端子側固定部）２２ａを備えている。付け根部２２ａは、第２の回路基板４０の回路パターン４１に半田５０によって固定される部位である。また、付け根部２２ａの上面は、図２３から分かるように、ヘッダハウジング２１の上面（板状壁部２１ａの外表面２１ｊ）に対して略平行に延びている。
【００５４】
また、ヘッダ側信号用端子２２は、付け根部２２ａに連続する内側部２２ｂを備えている。内側部２２ｂは、ヘッダハウジング２１の板状壁部２１ａと長手方向壁部２１ｅとの接合部を曲がりながら貫通し、長手方向壁部２１ｅの内面２１ｎに沿って長手方向壁部２１ｅの先端部まで延びている。
【００５５】
そして、ヘッダ側信号用端子２２の内側部２２ｂの内側表面上には、凹部２２ｃが形成されている。本実施形態では、凹部２２ｃは、長手方向Ｘの両側に連設された傾斜面２２ｈと、上下方向Ｚの両側に連設された傾斜面２２ｉとで、略三角柱状に形成されている。この凹部２２ｃには、後述するソケット側信号用端子３２の円弧状突起部３２ｋが嵌まり込む。
【００５６】
さらに、ヘッダ側信号用端子２２は、内側部２２ｂの一方端に連続する先端部２２ｄを備えている。先端部２２ｄは、ヘッダハウジング２１の長手方向壁部２１ｅの先端の形状に沿って曲がっている。
【００５７】
ヘッダ側信号用端子２２は、先端部２２ｄに連続する被係止部２２ｅを備えている。本実施形態では、被係止部２２ｅは、ヘッダ側信号用端子２２におけるヘッダハウジング２１の長手方向Ｘの一端から他端にかけて形成されている。すなわち、ヘッダ側信号用端子２２の幅方向全体に亘って、段差状の被係止部２２ｅが形成されている。
【００５８】
この被係止部２２ｅは、図２３および図２４を対比すれば分かるように、ヘッダ側信号用端子２２がソケット側信号用端子３２に嵌め込まれるときに、段差部としての係止部３２ｄよりも奥へ挿入される。そのため、被係止部２２ｅは、ヘッダ側信号用端子２２がソケット側信号用端子３２から引き抜かれるときに、係止部３２ｄに当接する。つまり、ヘッダ側信号用端子２２の被係止部２２ｅは、ソケット側信号用端子３２の係止部３２ｄによって係止される。したがって、ヘッダ側信号用端子２２のソケット側信号用端子３２からの引き抜けが抑制されている。つまり、ヘッダ側信号用端子２２は、所定値よりも小さな外力をかけただけでは、ソケット側信号用端子３２から引き抜くことができない。一方、ヘッダ側信号用端子２２は、所定値以上の大きな外力をかけると、ソケット側信号用端子３２から引き抜かれ得る。つまり、ヘッダ側信号用端子２２の被係止部２２ｅおよびソケット側信号用端子３２の係止部３２ｄは、所定値以上の外力を加えることにより、互いの係止を解除することが可能なロック機構を構成している。
【００５９】
被係止部２２ｅは、ヘッダ側信号用端子２２の厚さを部分的に異ならせる母材の圧延により製造されてもよいが、ヘッダ側信号用端子２２の母材を厚さ方向に曲げる成形により製造されてもよい。
【００６０】
さらに、ヘッダ側信号用端子２２は、被係止部２２ｅを介して、先端部２２ｄに連続し、長手方向壁部２１ｅの外面２１ｋに沿って延びる外側部２２ｆを備えている。本実施形態では、長手方向壁部２１ｅ（周壁部２１ｂ）の外周に突設された突出壁部２１ｇによって、ヘッダ側信号用端子２２の外側部２２ｆの先端の位置決めがなされている。
【００６１】
このようなヘッダ側信号用端子２２は、所定厚さを持った帯状の金属材を湾曲成形することにより形成することができる。
【００６２】
また、本実施形態では、ヘッダ側信号用端子２２は、インサート成形によってヘッダハウジング２１に配設されるようにしている。なお、ヘッダ側信号用端子２２をヘッダハウジング２１に圧入することで、ヘッダ側信号用端子２２をヘッダハウジング２１に配設させるようにしてもよい。
【００６３】
次に、図９および図１０を参照しながら、ヘッダ側電源用端子２３およびヘッダ側保持金具２４の構成を説明する。
【００６４】
ヘッダ側電源用端子２３は、金属成形により製造されており、導電体である。そして、このヘッダ側電源用端子２３は、ヘッダハウジング２１の内面に沿うように配置される内側部２３ａを備えている。この内側部２３ａは、ヘッダハウジング２１の板状壁部２１ａと長手方向壁部２１ｅとの接合部から長手方向壁部２１ｅの内面２１ｎに沿って長手方向壁部２１ｅの先端部まで延びている。
【００６５】
そして、ヘッダ側電源用端子２３の内側部２３ａの内側表面上には、凹部２３ｂが形成されている。本実施形態では、凹部２３ｂは、平坦状の奥面２３ｇと、奥面２３ｇの長手方向Ｘの両側に連設された傾斜面２３ｈと、奥面２３ｇの上下方向Ｚの両側に連設された傾斜面２３ｉとで、略四角錐台状に形成されている。この凹部２３ｂには、後述するソケット側電源用端子３３の円弧状突起部３３ｋが嵌まり込む。
【００６６】
さらに、ヘッダ側電源用端子２３は、内側部２３ａの一方端に連続する先端部２３ｃを備えている。先端部２３ｃは、ヘッダハウジング２１の長手方向壁部２１ｅの先端の形状に沿って曲がっている。
【００６７】
また、ヘッダ側電源用端子２３は、先端部２３ｃに連続する被係止部２３ｄを備えている。図２５および図２６を対比すれば分かるように、被係止部２３ｄは、ヘッダ側電源用端子２３がソケット側電源用端子３３に嵌め込まれるときに、段差部としての係止部３３ｄよりも奥へ挿入される。そのため、被係止部２３ｄは、ヘッダ側電源用端子２３がソケット側電源用端子３３から引き抜かれるときに、係止部３３ｄに当接する。つまり、ヘッダ側電源用端子２３の被係止部２３ｄは、ソケット側電源用端子３３の係止部３３ｄによって係止される。したがって、ヘッダ側電源用端子２３のソケット側電源用端子３３からの引き抜けが抑制されている。つまり、ヘッダ側電源用端子２３は、所定値よりも小さな外力をかけただけでは、ソケット側電源用端子３３から引き抜くことができない。一方、ヘッダ側電源用端子２３は、所定値以上の大きな外力をかけると、ソケット側電源用端子３３から引き抜かれ得る。つまり、ヘッダ側電源用端子２３の被係止部２３ｄおよびソケット側電源用端子３３の係止部３３ｄは、所定値以上の外力を加えることにより、互いの係止を解除することが可能なロック機構を構成している。
【００６８】
被係止部２３ｄは、ヘッダ側電源用端子２３の厚さを部分的に異ならせる母材の圧延により製造されてもよいが、ヘッダ側電源用端子２３の母材を厚さ方向に曲げる成形により製造されてもよい。
【００６９】
また、ヘッダ側電源用端子２３は、被係止部２３ｄに連続し、ヘッダハウジング２１の外面に沿うように配置される外側部２３ｅを備えている。この外側部２３ｅは、被係止部２３ｄから長手方向壁部２１ｅの外面２１ｋに沿って板状壁部２１ａまで延びている。
【００７０】
また、ヘッダ側電源用端子２３は、外側部２３ｅに連続し、ヘッダハウジング２１の側面から突出する付け根部（第２のヘッダ端子側固定部）２３ｆを備えている。付け根部２３ｆは、第２の回路基板４０の回路パターン４１に半田５０によって固定される部位である。また、付け根部２３ｆの上面は、図２５から分かるように、ヘッダハウジング２１の上面（板状壁部２１ａの外表面２１ｊ）に対して略平行に延びている。
【００７１】
なお、本実施形態では、付け根部２３ｆは、ヘッダハウジング２１の長手方向Ｘに沿った幅が、外側部２３ｅ（ヘッダ側電源用端子２３の他の部位）の長手方向Ｘに沿った幅よりも狭くなるように形成されている。そして、付け根部２３ｆは、外側部２３ｅの長手方向Ｘの外側の部分（Ｘ方向で隣り合うヘッダ側信号用端子２２から離れた側）に連設されている。
【００７２】
すなわち、ヘッダ側信号用端子２２およびヘッダ側電源用端子２３をヘッダハウジング２１に配置した状態で、付け根部（第１のヘッダ端子側固定部）２２ａと付け根部（第２のヘッダ端子側固定部）２３ｆとの間の距離が、後述するヘッダ側信号用端子３２の接点部（第１のソケット端子側接点部）Ｒ１，Ｒ２と、ヘッダ側電源用端子２３の接点部（第２のヘッダ端子側固定部）Ｒ３，Ｒ４との間の距離よりも大きくなるようにしている。
【００７３】
こうすることで、ヘッダ側電源用端子２３とヘッダ側信号用端子２２との絶縁距離を長くして、絶縁性を確保している。
【００７４】
また、上述したように、ヘッダ側信号用端子２２およびヘッダ側電源用端子２３は、ヘッダハウジング２１の長手方向Ｘに沿って配設されている。そして、本実施形態では、ヘッダ側電源用端子２３は、ヘッダハウジング２１の長手方向Ｘに沿った幅が、ヘッダ側信号用端子２２の長手方向Ｘに沿った幅よりも広くなるように形成されている。
【００７５】
すなわち、本実施形態では、ヘッダ側電源用端子２３よりもヘッダハウジング２１の長手方向Ｘの幅が狭いヘッダ側信号用端子２２を有するようにしている。なお、本実施形態では、全てのヘッダ側信号用端子２２が、ヘッダ側電源用端子２３よりもヘッダハウジング２１の長手方向Ｘの幅が狭くなっている。
【００７６】
さらに、本実施形態では、被係止部２３ｄが、ヘッダ側電源用端子２３におけるヘッダハウジング２１の長手方向Ｘの一端から他端にかけて形成されている。すなわち、幅広のヘッダ側電源用端子２３の幅方向全体に亘って、段差状の被係止部２３ｄを形成している。こうすることで、ヘッダ側電源用端子２３の被係止部２３ｄおよびソケット側電源用端子３３の係止部３３ｄによるロック力を向上させることができる。また、ヘッダ２０およびソケット３０の挿抜を繰り返した際にも、被係止部２３ｄが摩耗しにくくなるため、製品の長寿命化を図ることが可能となる。
【００７７】
また、本実施形態では、ヘッダ側電源用端子２３は、インサート成形によってヘッダハウジング２１に配設されるようにしている。なお、ヘッダ側電源用端子２３をヘッダハウジング２１に圧入することで、ヘッダ側電源用端子２３をヘッダハウジング２１に配設させるようにしてもよい。
【００７８】
そして、このヘッダ側電源用端子２３には、連結部２５を介してヘッダ側保持金具２４が固定されている。
【００７９】
ヘッダ側保持金具２４は、ヘッダ側信号用端子２２やヘッダ側電源用端子２３と同様に金属成形により製造されており、導電体である。
【００８０】
そして、ヘッダ側電源用端子２３とヘッダ側保持金具２４とを一体化させた部材は、所定厚さを持った金属板を湾曲成形することにより形成することができる。
【００８１】
ヘッダ側保持金具２４は、短手方向壁部２１ｆの先端（下端）のほぼ全体を覆うように配置される略矩形板状の下壁部２４ａを備えている。
【００８２】
また、ヘッダ側保持金具２４は、下壁部２４ａの幅方向（短手方向）Ｙの両端から板状壁部２１ａ側に向けて延設された一対の第１側壁部２４ｂを備えている。
【００８３】
この第１側壁部２４ｂは、長手方向壁部２１ｅの外面２１ｋに沿うように延設されており、先端が板状壁部２１ａの外表面２１ｊよりも若干突出するように形成されている。そして、第１側壁部２４ｂの先端が第２の回路基板４０の回路パターン４１に半田５０によって固定される固定部２４ｄとなっている。
【００８４】
さらに、一対の第１側壁部２４ｂのうちの一方の第１側壁部２４ｂに連結部２５が連設されている。本実施形態では、連結部２５は、一端（長手方向Ｘの外側）が一方の第１側壁部２４ｂにおける上下方向Ｚの中央部に連設されており、他端（長手方向Ｘの内側）がヘッダ側電源用端子２３の外側部２３ｅに連設されている。
【００８５】
さらに、ヘッダ側保持金具２４は、下壁部２４ａの長手方向Ｘの一端（外側）から板状壁部２１ａ側に向けて延設された一対の側片（第２側壁部）２４ｃを備えている。この側片２４ｃは、短手方向壁部２１ｆの外面２１ｍに沿うように延設されており、先端が板状壁部２１ａの外表面２１ｊよりも若干突出するように形成されている。そして、この側片２４ｃの先端も、第２の回路基板４０の回路パターン４１に半田５０によって固定される固定部２４ｄとなっている。
【００８６】
このように、本実施形態では、ヘッダ側保持金具２４は、４つの固定部２４ｄで第２の回路基板４０の回路パターン４１に固定されており、３方向（長手方向Ｘの一端および幅方向Ｙの両端）に固定箇所が形成されている。なお、一体化させたヘッダ側電源用端子２３およびヘッダ側保持金具２４は、上記４つの固定部２４ｄおよび付け根部２２ａで第２の回路基板４０の回路パターン４１に固定されることとなる。
【００８７】
また、固定部（４つの固定部２４ｄおよび付け根部２３ｆ）とヘッダハウジング２１との間には、隙間ｄ１が形成されている。この隙間ｄ１は、固定部を半田付けする際の半田の逃げ部としての機能やヘッダハウジング２１の温度が高くなりすぎてしまうのを抑制する放熱部としての機能を有している。
【００８８】
また、本実施形態では、一対の側片２４ｃは、下壁部２４ａの幅方向（短手方向）Ｙの両端から延設されており、一対の側片２４ｃの間（幅方向Ｙの中央部）には、切り欠き状の隙間２４ｅが形成されている。
【００８９】
さらに、本実施形態では、第１側壁部２４ｂと側片２４ｃとの間（ヘッダハウジング２１の角部）にも切り欠き状の隙間２４ｆが形成されている。
【００９０】
そして、ヘッダ側電源用端子２３およびヘッダ側保持金具２４は、インサート成形により、ヘッダハウジング２１の長手方向Ｘの両端部に形成された係合溝部２１ｒに埋め込まれた状態で、ヘッダハウジング２１に取り付けられている。
【００９１】
このとき、切り欠き状の隙間２４ｅ，２４ｆやヘッダ側電源用端子２３とヘッダ側保持金具２４との間の隙間にも樹脂が入り込むようにしている。こうすることで、ヘッダ側電源用端子２３およびヘッダ側保持金具２４のヘッダハウジング２１への固定強度を高めている。
【００９２】
なお、本実施形態では、一体化させたヘッダ側電源用端子２３およびヘッダ側保持金具２４を、インサート成形によってヘッダハウジング２１に配設しているが、圧入によりヘッダハウジング２１に配設させるようにしてもよい。
【００９３】
次に、図１１から図２２を用いてコネクタ１０で用いられるソケット３０の構成を説明する。
【００９４】
ソケット３０は、上述したようにソケットハウジング３１を備えている。このソケットハウジング３１は、本実施形態では、絶縁性の合成樹脂によって平面視で全体的に矩形（長方形）状に成形されている（図１１から図１６参照）。
【００９５】
そして、ソケットハウジング３１には、金属製のソケット側信号用端子３２および金属製のソケット側電源用端子３３が配設されている。ソケット側信号用端子３２は、信号線に電気的に接続されて信号を伝達するために用いられる端子である。一方、ソケット側電源用端子３３は、電源線に電気的に接続されて電源を供給するために用いられる端子である。
【００９６】
さらに、本実施形態では、ソケット側信号用端子３２とソケット側電源用端子３３とを、ソケットハウジング３１の長手方向Ｘに沿って列状に配置している。
【００９７】
具体的には、ソケットハウジング３１の一方の長辺に沿って、複数のソケット側信号用端子３２が所定ピッチをもって並設されている。そして、ソケットハウジング３１の幅方向（短手方向）Ｙの一方側に並設された複数のソケット側信号用端子３２で、ソケット側信号用端子群（第１のソケット端子群）Ｇ４を構成している。
【００９８】
さらに、ソケットハウジング３１の一方の長辺に沿って、１つのソケット側電源用端子３３が、１つのソケット側信号用端子群Ｇ４から離間するように並設されている。そして、ソケットハウジング３１の幅方向（短手方向）Ｙの一方側に並設された１つのソケット側信号用端子群Ｇ４および１つのソケット側電源用端子３３で、ソケット側端子群Ｇ２を構成している。
【００９９】
また、ソケットハウジング３１の他方の長辺に沿っても、複数のソケット側信号用端子３２が所定ピッチをもって並設されている。そして、ソケットハウジング３１の幅方向（短手方向）Ｙの他方側に並設された複数のソケット側信号用端子３２で、ソケット側信号用端子群Ｇ４を構成している。
【０１００】
さらに、ソケットハウジング３１の他方の長辺に沿って、１つのソケット側電源用端子３３が、１つのソケット側信号用端子群Ｇ４から離間するように並設されている。そして、ソケットハウジング３１の幅方向（短手方向）Ｙの他方側に並設された１つのソケット側信号用端子群Ｇ４および１つのソケット側電源用端子３３で、ソケット側端子群Ｇ２を構成している。
【０１０１】
このように、本実施形態では、ソケットハウジング３１には、当該ソケットハウジング３１の長手方向Ｘに沿って配設されたソケット側信号用端子群Ｇ４およびソケット側電源用端子３３で構成されるソケット側端子群Ｇ２が２列（複数列）配置されている。
【０１０２】
また、本実施形態では、ソケットハウジング３１の幅方向（短手方向）Ｙの一方側に形成されたソケット側端子群Ｇ２においては、ソケットハウジング３１の長手方向Ｘの一方側にソケット側電源用端子３３が配置されている。そして、ソケットハウジング３１の幅方向（短手方向）Ｙの他方側に形成されたソケット側端子群Ｇ２においては、ソケットハウジング３１の長手方向Ｘの他方側にソケット側電源用端子３３が配置されている。
【０１０３】
このように、本実施形態では、ソケット側電源用端子３３が、ソケットハウジング３１の長手方向Ｘの一方側かつ幅方向（短手方向）Ｙの一方側、および、ソケットハウジング３１の長手方向Ｘの他方側かつ幅方向（短手方向）Ｙの他方側の２箇所のみに配置されている。
【０１０４】
言い換えると、ソケットハウジング３１にはソケット側電源用端子３３が２つだけ配置されており、２つのソケット側電源用端子３３は、矩形（長方形）状のソケットハウジング３１の対角部分にそれぞれ配置されている。
【０１０５】
さらに、本実施形態では、一方の長辺側のソケット側信号用端子群Ｇ４と他方の長辺側のソケット側信号用端子群Ｇ４とが、ソケットハウジング３１の長手方向Ｘにずれた状態で形成されるようにしている。
【０１０６】
具体的には、一方のソケット側信号用端子群Ｇ４が、他方のソケット側信号用端子群Ｇ４に対してソケットハウジング３１の長手方向Ｘに１ピッチだけずれた状態で形成されるように、ソケット側信号用端子３２を配置している。
【０１０７】
こうすることで、一方のソケット側信号用端子群Ｇ４のＸ方向一端に配置されたソケット側信号用端子３２および他方のソケット側信号用端子群Ｇ４のＸ方向他端に配置されたソケット側信号用端子３２以外のソケット側信号用端子３２については、Ｙ方向で対向するように配置することができる。
【０１０８】
そして、本実施形態では、一方のソケット側信号用端子群Ｇ４のＸ方向一端に配置されたソケット側信号用端子３２とＹ方向で重なり合うように、他方のソケット側端子群Ｇ２を構成するソケット側電源用端子３３を配置している。
【０１０９】
また、他方のソケット側信号用端子群Ｇ４のＸ方向他端に配置されたソケット側信号用端子３２とＹ方向で重なり合うように、一方のソケット側端子群Ｇ２を構成するソケット側電源用端子３３を配置している。
【０１１０】
なお、ソケット側信号用端子３２およびソケット側電源用端子３３は、ヘッダ２０とソケット３０とを嵌合させた際に、対応するヘッダ側信号用端子２２およびヘッダ側電源用端子２３にそれぞれ接触するように、ソケットハウジング３１に配設されている。
【０１１１】
さらに、本実施形態では、ソケットハウジング３１の長手方向Ｘの両端（ソケット側端子群Ｇ２の長手方向Ｘの外側）に、金属製のソケット側保持金具３４が配設されている。このソケット側保持金具３４は、ソケットハウジング３１の強度を高めるとともに、ソケット側保持金具３４が有する固定部を上述した第１の回路基板６０に取付固定するために用いられるものである。
【０１１２】
次に、図１４から図１６を参照しながら、ソケットハウジング３１の構成を説明する。
【０１１３】
ソケットハウジング３１は、板状壁部３１ａと、その周縁部に沿って略矩形環状に連続的に形成される周壁部３１ｂとで一方側（図１４の上側）が開口した略箱状に形成されている。さらに、本実施形態では、板状壁部３１ａの中央部に、周壁部３１ｂから所定間隔をあけて略矩形状の島部３１ｃが形成されている。そして、これら周壁部３１ｂと島部３１ｃとの間にヘッダ２０の周壁部２１ｂを嵌合するための略枠状の嵌合溝部３１ｄが形成されている。なお、島部３１ｃは、凹部２１ｃに嵌合される。
【０１１４】
また、嵌合溝部３１ｄには、短手方向壁部２１ｆおよび長手方向壁部２１ｅが嵌合されるため、嵌合溝部３１ｄは、長手方向Ｙの両端部が若干幅広となるように形成されている。
【０１１５】
さらに、本実施形態では、周壁部３１ｂの内周側上端に、内側に向かうにつれて下方（板状壁部３１ａ側）に位置するように傾斜したテーパ部３１ｅが形成されている。このテーパ部３１ｅは、周壁部３１ｂの長手方向壁部３１ｈの長手方向両端および周壁部３１ｂの短手方向壁部３１ｉに形成されている。
【０１１６】
また、隣り合うソケット側信号用端子３２とソケット側電源用端子３３との間の周壁部３１ｂにもテーパ部３１ｅが形成されている。そして、隣り合うソケット側電源用端子３３とソケット側保持金具３４との間の周壁部３１ｂにもテーパ部３１ｅが形成されている。このように、本実施形態では、周壁部３１ｂのほぼ全周にわたってテーパ部３１ｅが形成されている。
【０１１７】
また、本実施形態では、周壁部３１ｂは、幅方向（短手方向）Ｙに対向する一対の長手方向壁部３１ｈと、長手方向Ｘに対向する一対の短手方向壁部３１ｉと、を備えている。
【０１１８】
そして、短手方向壁部３１ｉの幅方向Ｙの長さが、対向する２つの長手方向壁部３１ｈの距離（一方の長手方向壁部３１ｈの外面３１ｓから他方の長手方向壁部３１ｈの外面３１ｓまでの距離）とほぼ同一となるように形成されている。さらに、長手方向壁部３１ｈの長手方向Ｘの長さが、対向する２つの短手方向壁部３１ｉの距離（一方の短手方向壁部３１ｉの外面３１ｔから他方の短手方向壁部３１ｉの外面３１ｔまでの距離）とほぼ同一となるように形成されている。
【０１１９】
このように、本実施形態では、ソケットハウジング３１は、全体的に平面視略矩形状に形成されている。したがって、長手方向壁部３１ｈの外面３１ｓおよび短手方向壁部３１ｉの外面３１ｔが周壁部３１ｂの外面３１ｐとなっており、長手方向壁部３１ｈの内面３１ｕおよび短手方向壁部３１ｉの内面３１ｖが周壁部３１ｂの内面３１ｒとなっている。
【０１２０】
また、本実施形態では、ソケットハウジング３１には、ソケット側信号用端子３２が収容されるソケット側信号用端子収容部３１ｆが板状壁部３１ａを貫通するように形成されている（図１４から図１６参照）。また、ソケットハウジング３１には、ソケット側電源用端子３３が収容されるソケット側電源用端子収容部３１ｇが板状壁部３１ａを貫通するように形成されている。
【０１２１】
ソケット側信号用端子収容部３１ｆは、長手方向壁部３１ｈにソケット側信号用端子収容凹部３１ｊを嵌合溝部３１ｄと連通するように形成するとともに、島部３１ｃにソケット側信号用端子収容凹部３１ｍを嵌合溝部３１ｄと連通するように形成することで、形成されている。
【０１２２】
また、ソケット側電源用端子収容部３１ｇは、長手方向壁部３１ｈにソケット側電源用端子収容凹部３１ｋを嵌合溝部３１ｄと連通するように形成するとともに、島部３１ｃにソケット側電源用端子収容凹部３１ｎを嵌合溝部３１ｄと連通するように形成することで、形成されている。
【０１２３】
そして、ソケット側信号用端子３２およびソケット側電源用端子３３は、ソケットハウジング３１の裏面側からソケット側信号用端子収容部３１ｆおよびソケット側電源用端子収容部３１ｇにそれぞれ圧入される。
【０１２４】
次に、図１７および図１８を参照しながら、ソケット側信号用端子３２の構成を説明する。
【０１２５】
ソケット側信号用端子３２は、金属成形により製造されており、導電体である。そして、このソケット側信号用端子３２は、ソケットハウジング３１の側面から突出する付け根部（第１のソケット端子側固定部）３２ａを備えている。付け根部３２ａは、第１の回路基板６０の回路パターン６１に半田７０によって固定される部位である。また、付け根部３２ａの下面は、第１の回路基板６０の主表面Ｍに沿って延び、ソケットハウジング３１の底面（板状壁部３１ａの裏面）と同一平面内に位置付けられている。
【０１２６】
ソケット側信号用端子３２は、付け根部３２ａから立上がり、第１の回路基板６０から離れるように延びる立上り部３２ｂを備えている。立上り部３２ｂは、付け根部３２ａから曲がってソケット側信号用端子収容凹部３１ｊ内に入り、長手方向壁部３１ｈの内面３１ｕに沿って延びている。
【０１２７】
ソケット側信号用端子３２は、立上り部３２ｂの上端にその一方端が連続する反転Ｕ字状部３２ｃを備えている。反転Ｕ字状部３２ｃは、文字「Ｕ」が上下逆さまに配置された形状を有している。なお、反転Ｕ字状部３２ｃは、先端面３２ｎと、当該先端面３２ｎの長手方向Ｘ両側に連設される傾斜面３２ｐとを有しており、水平断面視で略台形状に突出する突状に形成されている。
【０１２８】
ソケット側信号用端子３２は、反転Ｕ字状部３２ｃの他方端に連続する係止部３２ｄを備えている。本実施形態では、係止部３２ｄは、ソケット側信号用端子３２におけるソケットハウジング３１の長手方向Ｘの一端から他端にかけて形成されている。すなわち、ソケット側信号用端子３２の幅方向全体に亘って、段差状の係止部３２ｄが形成されている。
【０１２９】
この係止部３２ｄは、上述したように、ヘッダ側信号用端子２２がソケット側信号用端子３２から引き抜かれるときに、被係止部２２ｅの移動を抑制する部分として機能する。つまり、ソケット側信号用端子３２の係止部３２ｄは、ヘッダ側信号用端子２２の被係止部２２ｅに当接し、被係止部２２ｅを係止し得る。ソケット側信号用端子３２の係止部３２ｄおよびヘッダ側信号用端子２２の被係止部２２ｅは、所定値以上の外力を加えることにより、係止を解除することが可能なロック機構を構成している。
【０１３０】
係止部３２ｄは、ソケット側信号用端子３２の厚さを部分的に異ならせる母材の圧延により製造されてもよいが、ソケット側信号用端子３２の母材を厚さ方向に曲げる成形により製造されてもよい。
【０１３１】
また、ソケット側信号用端子３２は、係止部３２ｄに連続し、立上り部３２ｂにほぼ平行に延びる立下り部３２ｅを有している。
【０１３２】
そして、ソケット側信号用端子３２は、立下り部３２ｅの下端に連続する傾斜部３２ｆを備えている。なお、ソケット側信号用端子３２が、傾斜部３２ｆにかえて第１の円弧状部３２ｆを備えるようにしてもよい。
【０１３３】
ソケット側信号用端子３２は、図２３および図２４に示すように、傾斜部３２ｆに連続する対向部３２ｚを備えている。対向部３２ｚは、次に説明する平坦部３２ｇ、第１の斜め部３２ｈ、第２の円弧状部３２ｉ、第２の斜め部３２ｊ、円弧状突起部３２ｋ、および先端部３２ｍを含んでいる。対向部３２ｚは、具体的には次のようなものである。
【０１３４】
対向部３２ｚは、傾斜部３２ｆの下端に連続する平坦部３２ｇを備えている。平坦部３２ｇは、図２３に示すように、立下り部３２ｅから離れるように、第１の回路基板６０の主表面Ｍに沿って延びている。ただし、平坦部３２ｇは、主表面Ｍに平行である必要はない。平坦部３２ｇは、後述するばね部のばね長を大きくするために設けられている。
【０１３５】
対向部３２ｚは、図２３に示すように、平坦部３２ｇに連続し、第１の回路基板６０の主表面Ｍに対して斜め方向に延びる第１の斜め部３２ｈを備えている。第１の斜め部３２ｈは、第１の回路基板６０から離れるにしたがって、立下り部３２ｅから離れるように延びている。第１の斜め部３２ｈは第２の円弧状部３２ｉに連続している。第２の円弧状部３２ｉは、立下り部３２ｅから離れるように突出する湾曲部である。第２の円弧状部３２ｉは、第１の回路基板６０の主表面Ｍに対して斜め方向に延びる第２の斜め部３２ｊに連続している。第２の斜め部３２ｊは、第１の回路基板６０から離れるにしたがって、立下り部３２ｅに近づくように延びている。したがって、第２の斜め部３２ｊは、第１の斜め部３２ｈの上方に位置付けられている。
【０１３６】
対向部３２ｚは、図２３に示すように、第２の斜め部３２ｊの上端に、その一方端が連続する円弧状突起部３２ｋを備えている。円弧状突起部３２ｋは、先端面３２ｒと、当該先端面３２ｒの長手方向Ｘ両側に連設される傾斜面３２ｓとを有しており、水平断面視で略台形状に突出する突状に形成されている。
【０１３７】
この円弧状突起部３２ｋは、図２３に示すように、ヘッダ側信号用端子２２の凹部２２ｃに嵌まり込む。円弧状突起部３２ｋの他方端は先端部３２ｍに連続している。先端部３２ｍは、第２の斜め部３２ｊにほぼ平行に延びている。図２３および図２４から分かるように、対向部３２ｚ（３２ｇ，３２ｈ，３２ｉ，３２ｊ，３２ｋ，３２ｍ）は、傾斜部３２ｆの下端に連続し、全体として立下り部３２ｅに対向している。
【０１３８】
本実施形態においては、ヘッダ２０とソケット３０とが嵌合する時には、図２４に示すように、ヘッダ側信号用端子２２は、反転Ｕ字状部３２ｃと円弧状突起部３２ｋとの間に挿入される。このとき、立下り部３２ｅ、傾斜部３２ｆ、平坦部３２ｇ、第１の斜め部３２ｈ、円弧状部３２ｉ、第２の斜め部３２ｊ、円弧状突起部３２ｋ、および先端部３２ｍは、一体となって、ばね部として機能する。ばね部（３２ｅ，３２ｆ，３２ｇ，３２ｈ，３２ｉ，３２ｊ，３２ｋ，３２ｍ）は、ヘッダ側信号用端子２２の凸部がソケット側信号用端子３２の凹部に挿入されると、弾性変形する。それにより、立下り部３２ｅおよび反転Ｕ字状部３２ｃとの２つの部分と円弧状突起部３２ｋとの間の距離が大きくなる。このとき、ヘッダ側信号用端子２２の被係止部２２ｅが、ソケット側信号用端子３２の係止部３２ｄよりも下方に挿入される。それにより、ソケット側信号用端子３２の円弧状突起部３２ｋがヘッダ側信号用端子２２の凹部２２ｃに嵌まり込む。
【０１３９】
ヘッダ側信号用端子２２がソケット側信号用端子３２に嵌合した状態では、弾性変形したばね部に復元力が生じる。この復元力により、円弧状突起部３２ｋは、ヘッダ側信号用端子２２を立下り部３２ｅおよび反転Ｕ字状部３２ｃのそれぞれに対して押し付ける。それにより、ヘッダ側信号用端子２２は、ソケット側信号用端子３２に挟持される。このとき、ヘッダ側信号用端子２２は、ソケット側信号用端子３２の反転Ｕ字状部３２ｃ、立下り部３２ｅ、および円弧状突起部３２ｋのそれぞれに接触する。
【０１４０】
具体的には、図２３および図２４に示すように、ヘッダ側信号用端子２２の先端部２２ｄが、ソケット側信号用端子３２の立下り部３２ｅに接触する。すなわち、ソケット側信号用端子３２の接点部（第１のソケット端子側接点部）Ｒ１およびヘッダ側信号用端子２２の接点部（第１のヘッダ端子側接点部）Ｒ１が互いに接触することとなる。
【０１４１】
また、ヘッダ側信号用端子２２の凹部２２ｃは、ソケット側信号用端子３２の円弧状突起部３２ｋに接触する。すなわち、ソケット側信号用端子３２の接点部（第１のソケット端子側接点部）Ｒ２およびヘッダ側信号用端子２２の接点部（第１のヘッダ端子側接点部）Ｒ２が互いに接触することとなる。
【０１４２】
このように、ヘッダ側信号用端子２２とソケット側信号用端子３２は、幅方向Ｙに離間した複数の接点（接点部Ｒ１および接点部Ｒ２の２つの接点部）で接触する。そのため、ヘッダ側信号用端子２２とソケット側信号用端子３２との電気的接続の信頼性が高い。
【０１４３】
さらに、本実施形態では、互いに接触するソケット側信号用端子３２の接点部Ｒ２およびヘッダ側信号用端子２２の接点部Ｒ２のうちいずれか一方の接点部であるヘッダ側信号用端子２２の接点部Ｒ２に、凹部２２ｃが形成されている。そして、他方の接点部であるソケット側信号用端子３２の接点部Ｒ２が、凹部２２ｃにおけるソケットハウジング３１の長手方向Ｘ両端部で接触するようにしている。
【０１４４】
具体的には、ソケット側信号用端子３２の円弧状突起部３２ｋが凹部２２ｃに嵌まり込む際に、円弧状突起部３２ｋの先端面３２ｒと傾斜面３２ｓとの境界部分が傾斜面２２ｈにそれぞれ接触している。このように、本実施形態では、ソケット側信号用端子３２の接点部Ｒ２が、ヘッダ側信号用端子２２の接点部Ｒ２に２点で接触するようにしている。
【０１４５】
なお、ばね部の弾性変形に起因して、接点部Ｒ１、接点部Ｒ２以外に、平坦部３２ｇと第１の斜め部３２ｈとの境界部が第１の回路基板６０に接点部Ｒ５で接触する場合もある。
【０１４６】
このように、本実施形態のヘッダ側信号用端子２２とソケット側信号用端子３２とは、幅方向Ｙに離間した複数の接点で接している。しかしながら、本発明のヘッダ側信号用端子とソケット側信号用端子とは、例えば、ヘッダ側信号用端子の内側面とソケット側信号用端子の対向部との１接点のみで接触するものであってもよい。
【０１４７】
なお、ばね部（３２ｅ，３２ｆ，３２ｇ，３２ｈ，３２ｉ，３２ｊ，３２ｋ，３２ｍ）は、Ｕ字状部（３２ｅ，３２ｆ，３２ｇ，３２ｈ，３２ｉ，３２ｊ）と、当該Ｕ字状部（３２ｅ，３２ｆ，３２ｇ，３２ｈ，３２ｉ，３２ｊ）の一端（３２ｊ側）に連設された自由端部（３２ｋ，３２ｍ）とで構成されている。そして、自由端部（３２ｋ，３２ｍ）の円弧状突起部３２ｋに、ソケット側信号用端子３２の接点部Ｒ２が設けられている。
【０１４８】
このように、ソケット側信号用端子３２は、Ｕ字状部（３２ｅ，３２ｆ，３２ｇ，３２ｈ，３２ｉ，３２ｊ）を有しており、当該Ｕ字状部（３２ｅ，３２ｆ，３２ｇ，３２ｈ，３２ｉ，３２ｊ）の一端（３２ｊ側）には、接点部Ｒ２が設けられる自由端部（３２ｋ，３２ｍ）が連設されている。
【０１４９】
このようなソケット側信号用端子３２は、所定厚さを持った帯状の金属材を湾曲成形することにより形成することができる。
【０１５０】
また、ソケット側信号用端子３２は、ソケット３０を組み立てる際に、ソケットハウジング３１の裏面側（図１４の下側）からソケット側信号用端子収容部３１ｆに挿入（圧入）することで、ソケットハウジング３１に装着されている。
【０１５１】
なお、ソケット側信号用端子３２をソケットハウジング３１にインサート成形する等して、ソケット側信号用端子３２をソケットハウジング３１に装着するようにしてもよい。
【０１５２】
次に、図１９および図２０を参照しながら、ソケット側電源用端子３３の構成を説明する。
【０１５３】
ソケット側電源用端子３３は、金属成形により製造されており、導電体である。そして、このソケット側電源用端子３３は、ソケットハウジング３１の側面から突出する付け根部（第２のソケット端子側固定部）３３ａを備えている。付け根部３３ａは、第１の回路基板６０の回路パターン６１に半田７０によって固定される部位である。また、付け根部３３ａの下面は、第１の回路基板６０の主表面Ｍに沿って延び、ソケットハウジング３１の底面（板状壁部３１ａの裏面）と同一平面内に位置付けられている。
【０１５４】
ソケット側電源用端子３３は、付け根部３３ａから立上がり、第１の回路基板６０から離れるように延びる立上り部３３ｂを備えている。立上り部３３ｂは、付け根部３３ａから曲がってソケット側電源用端子収容凹部３１ｋ内に入り、長手方向壁部３１ｈの内面３１ｕに沿って延びている。
【０１５５】
ソケット側電源用端子３３は、立上り部３３ｂの上端にその一方端が連続する反転Ｕ字状部３３ｃを備えている。反転Ｕ字状部３３ｃは、文字「Ｕ」が上下逆さまに配置された形状を有している。なお、反転Ｕ字状部３３ｃは、先端面３３ｒと、当該先端面３３ｒの長手方向Ｘ両側に連設される傾斜面３３ｓとを有しており、水平断面視で略台形状に突出する突状に形成されている。
【０１５６】
ソケット側電源用端子３３は、反転Ｕ字状部３３ｃの他方端に連続する係止部３３ｄを備えている。この係止部３３ｄは、上述したように、ヘッダ側電源用端子２３がソケット側電源用端子３３から引き抜かれるときに、被係止部２３ｄの移動を抑制する部分として機能する。つまり、ソケット側電源用端子３３の係止部３３ｄは、ヘッダ側電源用端子２３の被係止部２３ｄに当接し、被係止部２３ｄを係止し得る。ソケット側電源用端子３３の係止部３３ｄおよびヘッダ側電源用端子２３の被係止部２３ｄは、所定値以上の外力を加えることにより、係止を解除することが可能なロック機構を構成している。
【０１５７】
係止部３３ｄは、ソケット側電源用端子３３の厚さを部分的に異ならせる母材の圧延により製造されてもよいが、ソケット側電源用端子３３の母材を厚さ方向に曲げる成形により製造されてもよい。
【０１５８】
また、ソケット側電源用端子３３は、係止部３３ｄに連続し、立上り部３３ｂにほぼ平行に延びる立下り部３３ｅを有している。
【０１５９】
そして、ソケット側電源用端子３３は、立下り部３３ｅの下端に連続する傾斜部３３ｆを備えている。なお、ソケット側電源用端子３３が傾斜部３３ｆにかえて第１の円弧状部３３ｆを備えるようにしてもよい。
【０１６０】
ソケット側電源用端子３３は、図２５および図２６に示すように、傾斜部３３ｆに連続する対向部３３ｚを備えている。対向部３３ｚは、次に説明する平坦部３３ｇ、第１の斜め部３３ｈ、第２の円弧状部３３ｉ、第２の斜め部３３ｊ、円弧状突起部３３ｋ、および先端部３３ｍを含んでいる。対向部３３ｚは、具体的には次のようなものである。
【０１６１】
対向部３３ｚは、傾斜部３３ｆの下端に連続する平坦部３３ｇを備えている。平坦部３３ｇは、図２５に示すように、立下り部３３ｅから離れるように、第１の回路基板６０の主表面Ｍに沿って延びている。ただし、平坦部３３ｇは、主表面Ｍに平行である必要はない。平坦部３３ｇは、後述するばね部のばね長を大きくするために設けられている。
【０１６２】
対向部３３ｚは、図２５に示すように、平坦部３３ｇに連続し、第１の回路基板６０の主表面Ｍに対して斜め方向に延びる第１の斜め部３３ｈを備えている。第１の斜め部３３ｈは、第１の回路基板６０から離れるにしたがって、立下り部３３ｅから離れるように延びている。第１の斜め部３３ｈは第２の円弧状部３３ｉに連続している。第２の円弧状部３３ｉは、立下り部３３ｅから離れるように突出する湾曲部である。第２の円弧状部３３ｉは、第１の回路基板６０の主表面Ｍに対して斜め方向に延びる第２の斜め部３３ｊに連続している。第２の斜め部３３ｊは、第１の回路基板６０から離れるにしたがって、立下り部３３ｅに近づくように延びている。したがって、第２の斜め部３３ｊは、第１の斜め部３３ｈの上方に位置付けられている。
【０１６３】
対向部３３ｚは、図３５に示すように、第２の斜め部３３ｊの上端に、その一方端が連続する円弧状突起部３３ｋを備えている。円弧状突起部３３ｋは、先端面３３ｖと、当該先端面３３ｖの長手方向Ｘ両側に連設される傾斜面３３ｗとを有しており、水平断面視で略台形状に突出する突状に形成されている。
【０１６４】
この円弧状突起部３３ｋは、図２５に示すように、ヘッダ側電源用端子２３の凹部２３ｂに嵌まり込む。円弧状突起部３３ｋの他方端は先端部３３ｍに連続している。先端部３３ｍは、第２の斜め部３３ｊにほぼ平行に延びている。図２５および図２６から分かるように、対向部３３ｚ（３３ｇ，３３ｈ，３３ｉ，３３ｊ，３３ｋ，３３ｍ）は、傾斜部３３ｆの下端に連続し、全体として立下り部３３ｅに対向している。
【０１６５】
このように、本実施形態では、ソケット側信号用端子３２の側面形状とソケット側電源用端子３３の側面形状とが略同一形状をしている（図１８（ａ）および図２０（ａ）参照）。
【０１６６】
そして、本実施形態においては、ヘッダ２０とソケット３０とが嵌合する時には、図２６に示すように、ヘッダ側電源用端子２３は、ソケット側信号用端子３２と同様に、反転Ｕ字状部３３ｃと円弧状突起部３３ｋとの間に挿入される。このとき、立下り部３３ｅ、傾斜部３３ｆ、平坦部３３ｇ、第１の斜め部３３ｈ、円弧状部３３ｉ、第２の斜め部３３ｊ、円弧状突起部３３ｋ、および先端部３３ｍは、一体となって、ばね部として機能する。ばね部（３３ｅ，３３ｆ，３３ｇ，３３ｈ，３３ｉ，３３ｊ，３３ｋ，３３ｍ）は、ヘッダ側電源用端子２３の凸部がソケット側電源用端子３３の凹部に挿入されると、弾性変形する。
【０１６７】
なお、本実施形態では、傾斜部３３ｆから先端部３３ｍまでの部位における幅（長手方向Ｘに沿った幅）が、立上り部３３ｂ、反転Ｕ字状部３３ｃ、係止部３３ｄおよび立下り部３３ｅの幅（長手方向Ｘに沿った幅）よりも狭くなっている。したがって、ばね部（３３ｅ，３３ｆ，３３ｇ，３３ｈ，３３ｉ，３３ｊ，３３ｋ，３３ｍ）は、傾斜部３３ｆから先端部３３ｍまでの部分が特に弾性変形し易くなっている。
【０１６８】
そして、ばね部（３３ｅ，３３ｆ，３３ｇ，３３ｈ，３３ｉ，３３ｊ，３３ｋ，３３ｍ）が弾性変形すると、立下り部３３ｅおよび反転Ｕ字状部３３ｃとの２つの部分と円弧状突起部３３ｋとの間の距離が大きくなる。このとき、ヘッダ側電源用端子２３の被係止部２３ｄが、ソケット側電源用端子３３の係止部３３ｄよりも下方に挿入される。それにより、ソケット側電源用端子３３の円弧状突起部３３ｋがヘッダ側電源用端子２３の凹部２３ｂに嵌まり込む。
【０１６９】
ヘッダ側電源用端子２３がソケット側電源用端子３３に嵌合した状態では、弾性変形したばね部に復元力が生じる。この復元力により、円弧状突起部３３ｋは、ヘッダ側電源用端子２３を立下り部３３ｅおよび反転Ｕ字状部３３ｃのそれぞれに対して押し付ける。それにより、ヘッダ側電源用端子２３は、ソケット側電源用端子３３に挟持される。このとき、ヘッダ側電源用端子２３は、ソケット側電源用端子３３の反転Ｕ字状部３３ｃ、立下り部３３ｅ、および円弧状突起部３３ｋのそれぞれに接触する。
【０１７０】
具体的には、図２５および図２６に示すように、ヘッダ側電源用端子２３の先端部２３ｃが、ソケット側電源用端子３３の立下り部３３ｅに接触する。すなわち、ソケット側電源用端子３３の接点部（第２のソケット端子側接点部）Ｒ３およびヘッダ側電源用端子２３の接点部（第２のヘッダ端子側接点部）Ｒ３が互いに接触することとなる。
【０１７１】
また、ヘッダ側電源用端子２３の凹部２３ｂは、ソケット側電源用端子３３の円弧状突起部３３ｋに接触する。すなわち、ソケット側電源用端子３３の接点部（第２のソケット端子側接点部）Ｒ４およびヘッダ側電源用端子２３の接点部（第２のヘッダ端子側接点部）Ｒ４が互いに接触することとなる。
【０１７２】
このように、ヘッダ側電源用端子２３とソケット側電源用端子３３は、幅方向Ｙに離間した複数の接点（接点部Ｒ３および接点部Ｒ４の２つの接点部）で接触する。そのため、ヘッダ側電源用端子２３とソケット側電源用端子３３との電気的接続の信頼性が高い。
【０１７３】
そして、ソケット側電源用端子３３の２箇所に設けられた接点部Ｒ３および接点部Ｒ４は、接点部Ｒ３が接点部Ｒ４よりも付け根部（第２のソケット端子側固定部）３３ａに近い側に位置している。
【０１７４】
そして、本実施形態では、接点部Ｒ３および接点部Ｒ４のうち付け根部（第２のソケット端子側固定部）３３ａに近い側に位置する接点部Ｒ３の断面積が、他方側に位置する接点部Ｒ４の断面積よりも大きくなるようにしている。かかる構成は、例えば、ソケット側電源用端子３３の接点部Ｒ３および接点部Ｒ４における幅（長手方向Ｘに沿った幅）や厚さ（板厚）を適宜設定することで得ることができる。
【０１７５】
本実施形態では、ソケット側電源用端子３３の接点部Ｒ３における幅（長手方向Ｘに沿った幅）が、接点部Ｒ４における幅（長手方向Ｘに沿った幅）よりも広くなるようにしている。
【０１７６】
また、本実施形態では、付け根部３３ａは、ソケットハウジング３１の長手方向Ｘに沿った幅が、立上り部３３ｂの長手方向Ｘに沿った幅よりも狭くなるように形成されている。そして、付け根部３３ａは、立上り部３３ｂの長手方向Ｘの外側の部分（Ｘ方向で隣り合うソケット側信号用端子３２から離れた側）に連設されている。
【０１７７】
さらに、付け根部３３ａは、ソケット側信号用端子３２およびソケット側電源用端子３３をソケットハウジング３１に配置した状態で、接点部Ｒ３および接点部Ｒ４に対して付け根部（第１のソケット端子側固定部）３２ａから離れる方向にオフセットしている。
【０１７８】
すなわち、付け根部（第２のソケット端子側固定部）３３ａは、立上り部３３ｂよりも長手方向Ｘの外側に突出した状態で立上り部３３ｂに連設されている。
【０１７９】
こうすることで、ソケット側信号用端子３２およびソケット側電源用端子３３をソケットハウジング３１に配置した状態で、付け根部（第１のソケット端子側固定部）３２ａと付け根部（第２のソケット端子側固定部）３３ａとの間の距離が、ソケット側信号用端子３２の接点部（第１のソケット端子側接点部）Ｒ１，Ｒ２と、ソケット側電源用端子３３の接点部（第２のソケット端子側接点部）Ｒ３，Ｒ４との間の距離よりも大きくなるようにしている。
【０１８０】
こうすれば、ソケット側電源用端子（第２のソケット端子）３３とソケット側信号用端子（第１のソケット端子）３２との絶縁距離（Ｘ方向で互いに隣り合う付け根部３３ａと付け根部３２ａとの距離）を長くすることができる。
【０１８１】
なお、付け根部（第２のソケット端子側固定部）３３ａを立上り部３３ｂよりも長手方向Ｘの外側に突出させずに、付け根部（第２のソケット端子側固定部）３３ａの幅を小さくすることで、絶縁距離を長くすることも可能である。
【０１８２】
また、上述したように、ソケット側信号用端子３２の側面形状とソケット側電源用端子３３の側面形状とが略同一形状をしている。
【０１８３】
さらに、ソケット側信号用端子３２およびソケット側電源用端子３３は、ソケットハウジング３１の長手方向Ｘに沿って列状に配設されている。
【０１８４】
そして、ソケット側電源用端子３３は、ソケットハウジング３１の長手方向Ｘに沿った幅が、ソケット側信号用端子３２の長手方向Ｘに沿った幅よりも広くなるように形成されている。
【０１８５】
すなわち、本実施形態では、ソケット側電源用端子３３よりもソケットハウジング３１の長手方向Ｘの幅が狭いソケット側信号用端子３２を有するようにしている。なお、本実施形態では、全てのソケット側信号用端子３２が、ソケット側電源用端子３３よりもソケットハウジング３１の長手方向Ｘの幅が狭くなっている。
【０１８６】
さらに、本実施形態では、ソケット側電源用端子３３の厚さ（板厚）を、ソケット側信号用端子３２の厚さ（板厚）よりも薄くなるようにしている。
【０１８７】
また、係止部３３ｄが、ソケット側電源用端子３３におけるソケットハウジング３１の長手方向Ｘの一端から他端にかけて形成されている。すなわち、幅広のソケット側電源用端子３３の幅方向全体に亘って、段差状の係止部３３ｄを形成している。こうすることで、ヘッダ側電源用端子２３の被係止部２３ｄおよびソケット側電源用端子３３の係止部３３ｄによるロック力を向上させることができる。また、ヘッダ２０およびソケット３０の挿抜を繰り返した際にも、係止部３３ｄが摩耗しにくくなるため、製品の長寿命化を図ることが可能となる。
【０１８８】
さらに、本実施形態では、ばね部（３３ｅ，３３ｆ，３３ｇ，３３ｈ，３３ｉ，３３ｊ，３３ｋ，３３ｍ）は、Ｕ字状部（３３ｅ，３３ｆ，３３ｇ，３３ｈ，３３ｉ，３３ｊ）と、当該Ｕ字状部（３３ｅ，３３ｆ，３３ｇ，３３ｈ，３３ｉ，３３ｊ）の一端（３３ｊ側）に連設された自由端部（３３ｋ，３３ｍ）とで構成されている。そして、自由端部（３３ｋ，３３ｍ）の円弧状突起部３３ｋに、ソケット側信号用端子３３の接点部Ｒ４が設けられている。
【０１８９】
このように、ソケット側電源用端子３３は、Ｕ字状部（３３ｅ，３３ｆ，３３ｇ，３３ｈ，３３ｉ，３３ｊ）を有しており、当該Ｕ字状部（３３ｅ，３３ｆ，３３ｇ，３３ｈ，３３ｉ，３３ｊ）の一端（３３ｊ側）には、接点部Ｒ４が設けられる自由端部（３３ｋ，３３ｍ）が連設されている。
【０１９０】
さらに、本実施形態では、互いに接触するソケット側電源用端子３３の接点部Ｒ４およびヘッダ側電源用端子２３の接点部Ｒ４のうちいずれか一方の接点部であるヘッダ側電源用端子２３の接点部Ｒ４に、凹部２３ｂが形成されている。そして、他方の接点部であるソケット側電源用端子３３の接点部Ｒ４が、凹部２３ｂにおけるソケットハウジング３１の長手方向Ｘ両端部で接触するようにしている。
【０１９１】
具体的には、ソケット側電源用端子３３の円弧状突起部３３ｋが凹部２３ｂに嵌まり込む際に、円弧状突起部３３ｋの先端面３３ｖと傾斜面３３ｗとの境界部分が傾斜面２３ｈにそれぞれ接触している。このように、本実施形態では、ソケット側電源用端子３３の接点部Ｒ４が、ヘッダ側電源用端子２３の接点部Ｒ４に２点で接触するようにしている。
【０１９２】
なお、ばね部の弾性変形に起因して、接点部Ｒ３、接点部Ｒ４以外に、平坦部３３ｇと第１の斜め部３３ｈとの境界部が第１の回路基板６０に接点部Ｒ５で接触する場合もある。
【０１９３】
このように、本実施形態のヘッダ側電源用端子２３とソケット側電源用端子３３とは、幅方向Ｙに離間した複数の接点で接している。しかしながら、本発明のヘッダ側電源用端子とソケット側電源用端子とは、例えば、ヘッダ側電源用端子の内側面とソケット側電源用端子の対向部との１接点のみで接触するものであってもよい。
【０１９４】
このようなソケット側電源用端子３３は、所定厚さを持った帯状の金属材を湾曲成形することにより形成することができる。
【０１９５】
また、ソケット側電源用端子３３は、ソケット３０を組み立てる際に、ソケットハウジング３１の裏面側（図１５の下側）からソケット側電源用端子収容部３１ｇに挿入（圧入）することで、ソケットハウジング３１に装着されている。
【０１９６】
なお、ソケット側電源用端子３３をソケットハウジング３１にインサート成形する等して、ソケット側電源用端子３３をソケットハウジング３１に装着するようにしてもよい。
【０１９７】
次に、図２１および図２２を参照しながら、ソケット側保持金具３４の構成を説明する。
【０１９８】
ソケット側保持金具３４は、金属成形により製造されており、導電体である。このソケット側保持金具３４は、例えば、所定厚さの金属板をプレス成形することにより形成された保持金具板を折曲形成することによって形成することができる。
【０１９９】
本実施形態では、ソケット側保持金具３４は、幅方向（短手方向：一方向）Ｙに延在する第１の反転Ｕ字状部（第１のＵ字状部）３５を備えている。
【０２００】
また、ソケット側保持金具３４は、長手方向（一方向と交差する方向）Ｘに延在し、第１の反転Ｕ字状部３５の幅方向Ｙの一方側に配置される第２の反転Ｕ字状部（第２のＵ字状部）３６を備えている。
【０２０１】
さらに、ソケット側保持金具３４は、長手方向（一方向と交差する方向）Ｘに延在し、第１の反転Ｕ字状部３５の幅方向Ｙの他方側に配置される第３の反転Ｕ字状部（第３のＵ字状部）３７を備えている。
【０２０２】
本実施形態では、第２の反転Ｕ字状部３６がソケット側電源用端子３３と長手方向Ｘで隣り合うように配置されており、第３の反転Ｕ字状部３７がソケット側信号用端子３２と長手方向Ｘで隣り合うように配置されている。
【０２０３】
また、第１の反転Ｕ字状部３５、第２の反転Ｕ字状部３６および第３の反転Ｕ字状部３７は、互いに離間した状態で配置されている。
【０２０４】
第１の反転Ｕ字状部３５は、ソケットハウジング３１の内面（短手方向壁部３１ｉの内面３１ｖ）に沿うように配置される立上り部３５ａを備えている。この立上り部３５ａは、ソケットハウジング３１の板状壁部３１ａと短手方向壁部３１ｉとの接合部から立上がり、第１の回路基板６０から離れるように延びている。
【０２０５】
また、第１の反転Ｕ字状部３５は、立上り部３５ａの上端に連続する傾斜部３５ｂを備えている。この傾斜部３５ｂは、ソケットハウジング３１のテーパ部３１ｅと同様に、内側に向かうにつれて下方（板状壁部３１ａ側）に位置するように傾斜している。
【０２０６】
また、第１の反転Ｕ字状部３５は、傾斜部３５ｂの上端に連続する円弧状部３５ｃを備えている。円弧状部３５ｃは、傾斜部３５ｂから離れるように突出する湾曲部である。
【０２０７】
また、第１の反転Ｕ字状部３５は、円弧状部３５ｃに連続し、立上り部３５ａにほぼ平行に延びる立下り部３５ｄを備えている。立下り部３５ｄは、短手方向壁部３１ｉの外面３１ｔに沿って延びている。
【０２０８】
さらに、第１の反転Ｕ字状部３５は、第１の回路基板６０の回路パターン６１に半田７０によって固定される第１の固定部３５ｅを備えている。
【０２０９】
本実施形態では、立下り部３５ｄの先端（下端）の一部を板状壁部３１ａの外表面３１ｗよりも若干突出させている。そして、外表面３１ｗよりも若干突出させた立下り部３５ｄの先端（下端）を第１の回路基板６０の回路パターン６１に半田７０によって固定される第１の固定部３５ｅしている。
【０２１０】
なお、本実施形態では、立下り部３５ｄは、幅（幅方向Ｙの長さ）が円弧状部３５ｃの幅（幅方向Ｙの長さ）よりも広く（大きく）なるように形成されている。そして、立下り部３５ｄの幅方向Ｙの両端および中央部に、第１の固定部３５ｅを形成している。
【０２１１】
さらに、立下り部３５ｄの幅方向Ｙの両端側の先端は、ＸＹ平面（第１の回路基板６０の主表面Ｍ）に沿って延在するように屈曲させた形状をしている。すなわち、立下り部３５ｄの幅方向Ｙの両端側の先端をＸ方向外側に突出させることで、第１の固定部３５ｅを立下り部３５ｄの幅方向Ｙの両端側に形成している。一方、立下り部３５ｄの幅方向Ｙの両端側の先端は屈曲された形状をしておらず、かかる部位に形成された第１の固定部３５ｅは、先端を第１の回路基板６０の主表面Ｍに突き当てるようにした状態で、第１の回路基板６０の回路パターン６１に固定される。
【０２１２】
このように、幅広の立下り部３５ｄの両端および中央に第１の固定部３５ｅを設けることで、ソケット側保持金具３４をより強固に第１の回路基板６０に固定することができるようになる。
【０２１３】
第２の反転Ｕ字状部３６は、ソケットハウジング３１の内面（長手方向壁部３１ｈの内面３１ｕ）に沿うように配置される立上り部３６ａを備えている。この立上り部３６ａは、ソケットハウジング３１の板状壁部３１ａと長手方向壁部３１ｈとの接合部から立上がり、第１の回路基板６０から離れるように延びている。
【０２１４】
また、第２の反転Ｕ字状部３６は、立上り部３６ａの上端に連続する傾斜部３６ｂを備えている。この傾斜部３６ｂは、ソケットハウジング３１のテーパ部３１ｅと同様に、内側に向かうにつれて下方（板状壁部３１ａ側）に位置するように傾斜している。
【０２１５】
また、第２の反転Ｕ字状部３６は、傾斜部３６ｂの上端に連続する円弧状部３６ｃを備えている。円弧状部３６ｃは、傾斜部３６ｂから離れるように突出する湾曲部である。
【０２１６】
また、第２の反転Ｕ字状部３６は、円弧状部３６ｃに連続し、立上り部３６ａにほぼ平行に延びる立下り部３６ｄを備えている。立下り部３６ｄは、長手方向壁部３１ｈの外面３１ｓに沿って延びている。
【０２１７】
さらに、第２の反転Ｕ字状部３６は、第１の回路基板６０の回路パターン６１に半田７０によって固定される第２の固定部３６ｅを備えている。
【０２１８】
本実施形態では、立下り部３６ｄの先端（下端）の一部（Ｘ方向中央部）を板状壁部３１ａの外表面３１ｗよりも若干突出させている。そして、外表面３１ｗよりも若干突出させた立下り部３６ｄの先端（下端）を第１の回路基板６０の回路パターン６１に半田７０によって固定される第２の固定部３６ｅしている。
【０２１９】
なお、本実施形態では、第２の固定部３６ｅは、先端を第１の回路基板６０の主表面Ｍに突き当てるようにした状態で、第１の回路基板６０の回路パターン６１に固定される。
【０２２０】
第３の反転Ｕ字状部３７、ソケットハウジング３１の内面（長手方向壁部３１ｈの内面３１ｕ）に沿うように配置される立上り部３７ａを備えている。この立上り部３７ａは、ソケットハウジング３１の板状壁部３１ａと長手方向壁部３１ｈとの接合部から立上がり、第１の回路基板６０から離れるように延びている。
【０２２１】
また、第３の反転Ｕ字状部３７は、立上り部３７ａの上端に連続する傾斜部３７ｂを備えている。この傾斜部３７ｂは、ソケットハウジング３１のテーパ部３１ｅと同様に、内側に向かうにつれて下方（板状壁部３１ａ側）に位置するように傾斜している。
【０２２２】
また、第３の反転Ｕ字状部３７は、傾斜部３７ｂの上端に連続する円弧状部３７ｃを備えている。円弧状部３７ｃは、傾斜部３７ｂから離れるように突出する湾曲部である。
【０２２３】
また、第３の反転Ｕ字状部３７は、円弧状部３７ｃに連続し、立上り部３７ａにほぼ平行に延びる立下り部３７ｄを備えている。立下り部３７ｄは、長手方向壁部３１ｈの外面３１ｓに沿って延びている。
【０２２４】
さらに、第３の反転Ｕ字状部３７は、第１の回路基板６０の回路パターン６１に半田７０によって固定される第３の固定部３７ｅを備えている。
【０２２５】
本実施形態では、立下り部３７ｄの先端（下端）の一部（Ｘ方向中央部）を板状壁部３１ａの外表面３１ｗよりも若干突出させている。そして、外表面３１ｗよりも若干突出させた立下り部３７ｄの先端（下端）を第１の回路基板６０の回路パターン６１に半田７０によって固定される第３の固定部３７ｅしている。
【０２２６】
なお、本実施形態では、第３の固定部３７ｅは、先端を第１の回路基板６０の主表面Ｍに突き当てるようにした状態で、第１の回路基板６０の回路パターン６１に固定される。
【０２２７】
このように、本実施形態では、ソケット側保持金具３４は、第１の反転Ｕ字状部３５の近傍に形成された第１の固定部３５ｅと、第２の反転Ｕ字状部３６の近傍に形成された第２の固定部３６ｅと、第３の反転Ｕ字状部３７の近傍に形成された第３の固定部３７ｅと、を有している。
【０２２８】
そして、第１の固定部３５ｅが第１の反転Ｕ字状部３５に連設され、第２の固定部３６ｅが第２の反転Ｕ字状部３６に連設され、第３の固定部３７ｅが第３の反転Ｕ字状部３７に連設されている。
【０２２９】
さらに、本実施形態では、第２の反転Ｕ字状部３６における第２の固定部３６ｅが形成されていない側が第１の反転Ｕ字状部３５における第１の固定部３５ｅが連設されていない側に連設されている。
【０２３０】
具体的には、第２の反転Ｕ字状部３６の立上り部３６ａと第１の反転Ｕ字状部３５の立上り部３５ａとが連結部３８によって連設されている。
【０２３１】
連結部３８は、立上り部３６ａの下端の長手方向Ｘの外側と立上り部３５ａの下端の幅方向Ｙの外側とを連結している。
【０２３２】
一方、第３の反転Ｕ字状部３７における第３の固定部３７ｅが形成されていない側も、第１の反転Ｕ字状部３５における第１の固定部３５ｅが連設されていない側に連設されている。
【０２３３】
具体的には、第３の反転Ｕ字状部３７の立上り部３７ａと第１の反転Ｕ字状部３５の立上り部３５ａとが連結部３９によって連設されている。
【０２３４】
連結部３９は、立上り部３７ａの下端の長手方向Ｘの外側と立上り部３５ａの下端の幅方向Ｙの外側とを連結している。
【０２３５】
このように、本実施形態では、第１の反転Ｕ字状部３５、第２の反転Ｕ字状部３６および第３の反転Ｕ字状部３７の連設されていない自由端に、第１の固定部３５ｅ、第２の固定部３６ｅおよび第３の固定部３７ｅを設けている。
【０２３６】
こうすることで、３方向（長手方向Ｘの一端および幅方向Ｙの両端）に固定箇所が形成されることとなるため、ソケット側保持金具３４をより強固に第１の回路基板６０に固定することができるようになる。
【０２３７】
特に、ソケット側保持金具３４自由端に固定部を設けているため、ソケット側保持金具３４が変形し難くなって、ソケット側保持金具３４をより一層強固に第１の回路基板６０に固定することができるようになる。
【０２３８】
また、本実施形態では、ソケット側保持金具３４は、インサート成形によって、ソケットハウジング３１に装着（配設）されている。このとき、ソケット側保持金具３４の少なくとも一部がソケットハウジング３１に沿って露出するようにしている。
【０２３９】
すなわち、ソケット側保持金具３４の少なくとも一部がソケットハウジング３１の外面に沿って露出している。
【０２４０】
具体的には、第１の反転Ｕ字状部３５を、短手方向壁部３１ｉの内面（周壁部３１ｂの内面３１ｒ）３１ｖ側から短手方向壁部３１ｉの外面（周壁部３１ｂの外面３１ｐ）３１ｔ側にかけて露出させている。
【０２４１】
本実施形態では、第１の反転Ｕ字状部３５のほぼ全体（立上り部３５ａ、傾斜部３５ｂ、円弧状部３５ｃ、立下り部３５ｄおよび第１の固定部３５ｅ）をソケットハウジング３１の外面に沿って露出させている。
【０２４２】
このとき、周壁部３１ｂおよび板状壁部３１ａの外面の一部とソケット側保持金具３４の立下り部３５ｄとが略面一の状態となるようにしている。換言すると、周壁部３１ｂの外面にソケット側保持金具３４の立下り部３５ｄが略面一の状態で露出するように、ソケットハウジング３１にソケット側保持金具３４が一体成形されている。
【０２４３】
また、第２の反転Ｕ字状部３６を、長手方向壁部３１ｈの内面（周壁部３１ｂの内面３１ｒ）３１ｕ側から長手方向壁部３１ｈの外面（周壁部３１ｂの外面３１ｐ）３１ｓ側にかけて露出させている。
【０２４４】
本実施形態では、第２の反転Ｕ字状部３６のほぼ全体（立上り部３６ａ、傾斜部３６ｂ、円弧状部３６ｃ、立下り部３６ｄおよび第２の固定部３６ｅ）をソケットハウジング３１の外面に沿って露出させている。
【０２４５】
このとき、周壁部３１ｂおよび板状壁部３１ａの外面の一部とソケット側保持金具３４の立下り部３６ｄとが略面一の状態となるようにしている。換言すると、周壁部３１ｂの外面にソケット側保持金具３４の立下り部３６ｄが略面一の状態で露出するように、ソケットハウジング３１にソケット側保持金具３４が一体成形されている。
【０２４６】
また、第３の反転Ｕ字状部３７を、長手方向壁部３１ｈの内面（周壁部３１ｂの内面３１ｒ）３１ｕ側から長手方向壁部３１ｈの外面（周壁部３１ｂの外面３１ｐ）３１ｓ側にかけて露出させている。
【０２４７】
本実施形態では、第３の反転Ｕ字状部３７のほぼ全体（立上り部３７ａ、傾斜部３７ｂ、円弧状部３７ｃ、立下り部３７ｄおよび第３の固定部３７ｅ）をソケットハウジング３１の外面に沿って露出させている。
【０２４８】
このとき、周壁部３１ｂおよび板状壁部３１ａの外面の一部とソケット側保持金具３４の立下り部３７ｄとが略面一の状態となるようにしている。換言すると、周壁部３１ｂの外面にソケット側保持金具３４の立下り部３７ｄが略面一の状態で露出するように、ソケットハウジング３１にソケット側保持金具３４が一体成形されている。
【０２４９】
なお、本実施形態では、連結部３８および連結部３９が、ソケットハウジング３１の底面（板状壁部３１ａの外表面３１ｗ）に対して面一の状態でなく露出しているが、連結部３８および連結部３９を、ソケットハウジング３１の底面（板状壁部３１ａの外表面３１ｗ）に対して面一の状態で露出させることも可能である。また、ソケット側保持金具３４は、周壁部３１ｂの外面３１ｐに露出させる必要はなく、また、露出させる場合であっても、周壁部３１ｂの外面３１ｐに対して面一の状態で露出させる必要はない。
【０２５０】
そして、図２５および図２６に示すように、ヘッダハウジング２１の周壁部２１ｂをソケットハウジング３１の嵌合溝部３１ｄに挿入して嵌合することで、ヘッダ２０がソケット３０に嵌合される。
【０２５１】
なお、ヘッダ２０をソケット３０に嵌合させる際には、例えば、Ｙ方向（幅方向：短手方向）一端側の長辺部分に形成されたテーパ部３１ｅとテーパ部２１ｄとを重ね合わせ、Ｙ方向（幅方向：短手方向）他端側にずらしながら嵌合させるようにすることができる。
こうすれば、テーパ部３１ｅおよびテーパ部２１ｄを誘い込み部として機能させることができ、より容易にヘッダ２０をソケット３０に嵌合させることができるようになる。
【０２５２】
このとき、ヘッダ側保持金具２４における下壁部２４ａと側壁部との接合部分（湾曲部分）が傾斜部３５ｂ,３６ｂ，３７ｂの少なくともいずれかに接触しながら嵌合溝部３１ｄ内に導入される。
【０２５３】
そして、ヘッダ２０をソケット３０に嵌合させた状態では、ソケット側信号用端子３２の接点部Ｒ１およびヘッダ側信号用端子２２の接点部Ｒ１が互いに接触することとなる。
【０２５４】
また、ソケット側信号用端子３２の接点部Ｒ２およびヘッダ側信号用端子２２の接点部Ｒ２が互いに接触することとなる。
【０２５５】
そして、ソケット側電源用端子３３の接点部Ｒ３およびヘッダ側電源用端子２３の接点部Ｒ３が互いに接触することとなる。
【０２５６】
また、ソケット側電源用端子３３の接点部Ｒ４およびヘッダ側電源用端子２３の接点部Ｒ４が互いに接触することとなる。
【０２５７】
その結果、ソケット側信号用端子３２とヘッダ側信号用端子２２とが電気的に接続されるとともに、ソケット側電源用端子３３とヘッダ側電源用端子２３とが電気的に接続される。
【０２５８】
また、ヘッダ側保持金具２４とソケット側保持金具３４とが、ソケット側電源用端子３３およびヘッダ側電源用端子２３を介して電気的に接続される。
【０２５９】
こうして、第１の回路基板６０の回路パターン６１と第２の回路基板４０の回路パターン４１とが相互に電気的に接続されることとなる。
【０２６０】
このとき、ヘッダ側保持金具２４の第１側壁部２４ｂや側片２４ｃが、ソケット側保持金具３４の立下り部３５ｄ，３６ｄ，３７ｄのいずれかに接触するようにしてもよい。また、ヘッダ２０をソケット３０に嵌合させた状態で、ヘッダ側保持金具２４とソケット側保持金具３４とが接触しない構成とすることも可能である。
【０２６１】
一方、ヘッダ２０とソケット３０とを離脱させる際には、これら両者を引き剥がし方向に抜去する。すると、段差状の係止部３２ｄと段差状の被係止部２２ｅとが相対摺動しつつ、ソケット側信号用端子３２のばね部（３２ｅ，３２ｆ，３２ｇ，３２ｈ，３２ｉ，３２ｊ，３２ｋ，３２ｍ）が弾性変形し、係止部３３ｄと被係止部３２ｅとの係止が解除される。このとき、円弧状突起部３２ｋの凹部２２ｃへの嵌まり込みも解除される。
【０２６２】
また、段差状の係止部３３ｄと段差状の被係止部２３ｄとが相対摺動しつつ、ソケット側電源用端子３３のばね部（３３ｅ，３３ｆ，３３ｇ，３３ｈ，３３ｉ，３３ｊ，３３ｋ，３３ｍ）が弾性変形し、係止部３３ｄと被係止部２３ｄとの係止が解除される。このとき、円弧状突起部３３ｋの凹部２３ｂへの嵌まり込みも解除される。
【０２６３】
こうして、ヘッダ２０とソケット３０とを分離させることができるようになる。
【０２６４】
なお、ヘッダ側保持金具２４およびソケット側保持金具３４にロック機構を設け、ヘッダ２０をソケット３０に嵌合させた状態で、ヘッダ側保持金具２４とソケット側保持金具３４とが互いに係合するようにしてもよい。
【０２６５】
なお、本実施形態では、ヘッダ側信号用端子２２およびヘッダ側電源用端子２３は、ヘッダ２０とソケット３０とを嵌合させる際にソケット３０側となる先端部分のＺ方向の高さが略同じとなるようにヘッダハウジング２１に取り付けられている。
【０２６６】
一方、ソケット側信号用端子３２およびソケット側電源用端子３３は、ヘッダ２０とソケット３０とを嵌合させる際にヘッダ２０側となる先端部分のＺ方向の高さが略同じとなるようにソケットハウジング３１に取り付けられている。
【０２６７】
したがって、ヘッダ２０とソケット３０とを嵌合させる際には、ヘッダ側電源用端子２３とソケット側電源用端子３３との接触と、ヘッダ側信号用端子２２とソケット側信号用端子３２との接触とが略同時になされることとなる。
【０２６８】
また、ヘッダ２０とソケット３０とを分離させる際には、ヘッダ側電源用端子２３とソケット側電源用端子３３との接触解除と、ヘッダ側信号用端子２２とソケット側信号用端子３２との接触解除とが略同時になされることとなる。
【０２６９】
また、本実施形態では、上述したように、ヘッダハウジング２１の長手方向Ｘ両端部にはヘッダ側保持金具２４が、ソケットハウジング３１の長手方向Ｘ両端部にはソケット側保持金具３４が配設されている。このヘッダ側保持金具２４およびソケット側保持金具３４は、ヘッダハウジング２１およびソケットハウジング３１の強度を高めるとともに、上述した回路基板にそれぞれ取付固定するために用いられるものである。
【０２７０】
本実施形態では、ヘッダ側保持金具２４の固定部を第２の回路基板４０に半田付けすることで、ヘッダ２０が第２の回路基板４０に対して強固に結合されるようにしている。
【０２７１】
また、ソケット側保持金具３４の固定部を第１の回路基板６０に半田付けすることで、ソケット３０が第１の回路基板６０に対して強固に結合されるようにしている。
【０２７２】
このような構成によれば、各回路基板に強固に結合されたヘッダ２０とソケット３０とを相互に嵌合させることができる。
【０２７３】
以上、説明したように、本実施形態のソケット側保持金具（一方のコネクタ接続体で用いられる保持金具）３４は、ソケット３０のソケットハウジング（コネクタ接続体のハウジング）３１にインサート成形されるものである。
【０２７４】
このソケット側保持金具３４は、幅方向（一方向）Ｙに延在する第１の反転Ｕ字状部（第１のＵ字状部）３５と、長手方向（一方向と交差する方向）Ｘに延在し、第１の反転Ｕ字状部３５の幅方向（一方向）Ｙの一方側に配置される第２の反転Ｕ字状部（第２のＵ字状部）３６と、長手方向（一方向と交差する方向）Ｘに延在し、第１の反転Ｕ字状部３５の幅方向（一方向）Ｙの他方側に配置される第３の反転Ｕ字状部（第３のＵ字状部）３７と、を備えている。
【０２７５】
そして、第１の反転Ｕ字状部３５、第２の反転Ｕ字状部３６および第３の反転Ｕ字状部３７が、ソケットハウジング（コネクタ接続体のハウジング）３１の周壁部３１ｂにインサート成形されている。
【０２７６】
こうすれば、ソケットハウジング（コネクタ接続体のハウジング）３１の強度をより向上させることができるようになる。
【０２７７】
このように、本実施形態によれば、ソケット（コネクタ接続体）３０のソケットハウジング（ハウジング）３１の強度をより向上させることのできるソケット側保持金具（保持金具）３４を得ることができる。また、ソケット側保持金具（保持金具）３４を備えるソケット（コネクタ接続体）３０およびコネクタ１０を得ることができる。
【０２７８】
また、本実施形態では、第１の反転Ｕ字状部３５、第２の反転Ｕ字状部３６および第３の反転Ｕ字状部３７が、周壁部３１ｂの内面３１ｒ側に露出している。
【０２７９】
例えば、各反転Ｕ字状部をソケットハウジング（コネクタ接続体のハウジング）３１に埋設した場合には、ソケットハウジング（コネクタ接続体のハウジング）３１が分断されてしまう。これに対して、本実施形態のように、各反転Ｕ字状部を周壁部３１ｂの内面３１ｒ側に露出させるようにすれば、ソケットハウジング（コネクタ接続体のハウジング）３１が分断されてしまうのを抑制することができる。その結果、ソケットハウジング（コネクタ接続体のハウジング）３１の強度をより向上させることができるようになる。
【０２８０】
また、本実施形態では、第１の反転Ｕ字状部３５、第２の反転Ｕ字状部３６および第３の反転Ｕ字状部３７が、周壁部３１ｂの内面３１ｒ側から外面３１ｐ側にかけて露出している。
【０２８１】
こうすれば、ヘッダ２０とソケット３０とを嵌合させる際等に、周壁部３１ｂが変形してしまうのを抑制することができるようになる。
【０２８２】
また、本実施形態では、第１の回路基板（回路基板）６０に固定される固定部をさらに備えている。
【０２８３】
そして、この固定部は、第１の反転Ｕ字状部３５の近傍に形成された第１の固定部３５ｅと、第２の反転Ｕ字状部３６の近傍に形成された第２の固定部３６ｅと、第３の反転Ｕ字状部３７の近傍に形成された第３の固定部３７ｅと、を有している。
【０２８４】
こうすれば、ソケット３０をより強固に第１の回路基板（回路基板）６０に固定することが可能となる。
【０２８５】
また、本実施形態では、第１の固定部３５ｅが第１の反転Ｕ字状部３５に連設され、第２の固定部３６ｅが第２の反転Ｕ字状部３６に連設され、第３の固定部３７ｅが第３の反転Ｕ字状部３７に連設されている。
【０２８６】
さらに、本実施形態では、第２の反転Ｕ字状部３６における第２の固定部３６ｅが形成されていない側が第１の反転Ｕ字状部３５における第１の固定部３５ｅが連設されていない側に連設されている。
【０２８７】
こうすれば、ソケット３０をより一層強固に第１の回路基板（回路基板）６０に固定することが可能となる。
【０２８８】
なお、固定部（第１の固定部３５ｅ、第２の固定部３６ｅおよび第３の固定部３７ｅ）とソケットハウジング３１との間には、隙間ｄ２が形成されている。この隙間ｄ２は、固定部を半田付けする際の半田の逃げ部としての機能やソケットハウジング３１の温度が高くなりすぎてしまうのを抑制する放熱部としての機能を有している。
【０２８９】
また、本実施形態では、第１の反転Ｕ字状部３５、第２の反転Ｕ字状部３６および第３の反転Ｕ字状部３７が、ヘッダ（コネクタ接続体の相手側の部材）２０に設けられたヘッダ側保持金具（金具）２４に電気的に接続されている。
【０２９０】
こうすれば、ソケット側保持金具３４やヘッダ側保持金具（金具）２４で生じる熱をより効率よく放熱させることができるようになる。その結果、定格電流をより向上させることができるようになる。
【０２９１】
また、本実施形態のコネクタ１０は、ソケット側信号用端子（第１のソケット端子）３２と、ソケット側信号用端子（第１のソケット端子）３２よりも幅広のソケット側電源用端子（第２のソケット端子）３３と、が配設される略矩形状のソケットハウジング３１を有するソケット３０を備えている。
【０２９２】
また、コネクタ１０は、ヘッダ側信号用端子（第１のヘッダ端子）２２と、ヘッダ側信号用端子（第１のヘッダ端子）２２よりも幅広のヘッダ側電源用端子（第２のヘッダ端子）２３と、が配設される略矩形状のヘッダハウジング２１を有するヘッダ２０を備えている。
【０２９３】
そして、ソケット側電源用端子（第２のヘッダ端子）３３が、ソケットハウジング３１の長手方向Ｘの一方側かつ短手方向Ｙの一方側、および、ソケットハウジング３１の長手方向Ｘの他方側かつ短手方向Ｙの他方側の２箇所のみに配置されている。
【０２９４】
すなわち、ソケットハウジング３１にはソケット側電源用端子（第２のソケット端子）３３が２つだけ配置されており、２つのソケット側電源用端子（第２のソケット端子）３３は、矩形（長方形）状のソケットハウジング３１の対角部分にそれぞれ配置されている。
【０２９５】
こうすれば、矩形（長方形）状のソケットハウジング３１のソケット側電源用端子（第２のソケット端子）３３が配置されていない対角部分にソケット側信号用端子（第１のソケット端子）３２を配置させることができるようになる。
【０２９６】
その結果、ソケットハウジング３１の長手方向Ｘの小型化を図ることができる。
【０２９７】
また、本実施形態のソケット３０は、ソケット側信号用端子（第１のソケット端子）３２と、ソケット側信号用端子（第１のソケット端子）３２よりも幅広のソケット側電源用端子（第２のソケット端子）３３と、が配設される略矩形状のソケットハウジング３１を備えている。
【０２９８】
そして、ソケット側電源用端子（第２のソケット端子）３３が、ソケットハウジング３１の長手方向Ｘの一方側かつ短手方向Ｙの一方側、および、ソケットハウジング３１の長手方向Ｘの他方側かつ短手方向Ｙの他方側の２箇所のみに配置されている。
【０２９９】
こうすれば、ソケットハウジング３１の長手方向Ｘの小型化を図ることができる。
【０３００】
また、本実施形態のヘッダ２０は、ヘッダ側信号用端子（第１のヘッダ端子）２２と、ヘッダ側信号用端子（第１のヘッダ端子）２２よりも幅広のヘッダ側電源用端子（第２のヘッダ端子）２３と、が配設される略矩形状のヘッダハウジング２１を備えている。
【０３０１】
そして、ヘッダ側電源用端子（第２のヘッダ端子）２３が、ヘッダハウジング２１の長手方向Ｘの一方側かつ短手方向Ｙの一方側、および、ヘッダハウジング２１の長手方向Ｘの他方側かつ短手方向Ｙの他方側の２箇所のみに配置されている。
【０３０２】
こうすれば、ヘッダハウジング２１の長手方向Ｘの小型化を図ることができる。
【０３０３】
このように、本実施形態によれば、より小型化を図るこのできるコネクタ１０、ヘッダ２０およびソケット３０を得ることができる。
【０３０４】
また、本実施形態では、ヘッダ２０が、平面視で当該ヘッダ２０の中心に対して点対称となるように形成されているとともに、ソケット３０が、平面視で当該ソケット３０の中心に対して点対称となるように形成されている。そのため、逆嵌合によるヘッダ２０やソケット３０の破損を抑制することができるようになる。
【０３０５】
また、本実施形態では、ソケット側信号用端子（第１のソケット端子）３２の側面形状とソケット側電源用端子（第２のソケット端子）３３の側面形状とが略同一形状をしている。
【０３０６】
そして、ソケット側信号用端子（第１のソケット端子）３２およびソケット側電源用端子（第２のソケット端子）３３が、ソケットハウジング３１の長手方向Ｘに沿って列状に配置されている。
【０３０７】
こうすれば、ソケット側信号用端子（第１のソケット端子）３２およびソケット側電源用端子（第２のソケット端子）３３の嵌合バランスがよくなるため、ヘッダ２０をソケット３０に嵌合させやすくなる。
【０３０８】
また、接触信頼性を向上させることのできる端子をより容易に設計することができるようになる上、ヘッダ２０とソケット３０との嵌合保持力をより向上させることができるようになる。
【０３０９】
また、本実施形態では、ソケット側信号用端子３２がソケットハウジング３１の長手方向Ｘに沿って複数配置されたソケット側信号用端子群（第１のソケット端子群）Ｇ４を有している。
【０３１０】
そして、ソケット側電源用端子３３は、ソケット側信号用端子群Ｇ４よりもソケットハウジング３１の長手方向Ｘの外側に配置されている。
【０３１１】
このように、発熱量の大きいソケット側電源用端子３３をソケット側信号用端子群Ｇ４よりもソケットハウジング３１の長手方向Ｘの外側に配置することで、放熱性を高めることができるようになる。
【０３１２】
また、複数のソケット側信号用端子３２を、ソケット側電源用端子３３に対して長手方向Ｘの片側だけに配置することで、ソケット側信号用端子３２に生じるノイズを低減させることができるようになる。
【０３１３】
また、本実施形態では、ソケット側信号用端子（第１のソケット端子）３２は、ヘッダ側信号用端子（第１のヘッダ端子）２２が接触する第１のソケット端子側接点部Ｒ１，Ｒ２と、第１の回路基板（回路基板）６０に固定される付け根部（第１のソケット端子側固定部）３２ａと、を備えている。
【０３１４】
一方、ソケット側電源用端子（第２のソケット端子）３３は、ヘッダ側電源用端子（第２のヘッダ端子）２３が接触する第２のソケット端子側接点部Ｒ３，Ｒ４と、第１の回路基板（回路基板）６０に固定される付け根部（第２のソケット端子側固定部）３３ａと、を備えている。
【０３１５】
そして、ソケット側信号用端子３２およびソケット側電源用端子３３をソケットハウジング３１に配置した状態で、付け根部（第１のソケット端子側固定部）３２ａと付け根部（第２のソケット端子側固定部）３３ａとの間の距離が、ソケット側信号用端子３２の接点部（第１のソケット端子側接点部）Ｒ１，Ｒ２と、ソケット側電源用端子３３の接点部（第２のソケット端子側接点部）Ｒ３，Ｒ４との間の距離よりも大きくなるようにしている。
【０３１６】
こうすれば、ソケット側電源用端子（第２のソケット端子）３３とソケット側信号用端子（第１のソケット端子）３２との絶縁距離（Ｘ方向で互いに隣り合う付け根部３３ａと付け根部３２ａとの距離）を長くすることができる。
【０３１７】
また、本実施形態では、ソケット側電源用端子（第２のソケット端子）３３には、第２のソケット端子側接点部がＲ３とＲ４の２箇所に設けられている。
【０３１８】
そして、接点部Ｒ３および接点部Ｒ４のうち付け根部（第２のソケット端子側固定部）３３ａに近い側に位置する接点部Ｒ３の断面積が、他方側に位置する接点部Ｒ４の断面積よりも大きくなるようにしている。第２のソケット端子側接点部Ｒ３，Ｒ４のうち付け根部（第２のソケット端子側固定部）３３ａに近い側に位置する第２のソケット端子側接点部Ｒ３の断面積を、他方側の第２のソケット端子側接点部Ｒ４の断面積よりも大きくしている。
【０３１９】
こうすれば、ソケット側電源用端子（第２のソケット端子）３３の導体抵抗をより効率的に下げることができるようになる。
【０３２０】
また、本実施形態では、ソケット側電源用端子（第２のソケット端子）３３の厚さを、ソケット側信号用端子（第１のソケット端子）３２の厚さよりも薄くしている。
【０３２１】
こうすれば、幅広のソケット側電源用端子（第２のソケット端子）３３のヘッダ側電源用端子（第２のヘッダ端子）２３との接触力を、幅狭のソケット側信号用端子（第１のソケット端子）３２のヘッダ側信号用端子（第１のヘッダ端子）２２との接触力に近づけることができるようになる。
【０３２２】
その結果、ソケット側信号用端子（第１のソケット端子）３２およびソケット側電源用端子（第２のソケット端子）３３の嵌合バランスがよくなるため、ヘッダ２０をソケット３０に嵌合させやすくなる。
【０３２３】
また、ソケット側電源用端子（第２のソケット端子）３３を形成する際の曲げ加工性をより向上させることができるため、クラック等が発生してしまうのを抑制することができるようになる。その結果、ソケット側電源用端子（第２のソケット端子）３３導体抵抗やヘッダ側電源用端子（第２のヘッダ端子）２３との接触力をより安定させることができるようになる。
【０３２４】
また、本実施形態では、ソケット側電源用端子（第２のソケット端子）３３には、ヘッダ側電源用端子（第２のヘッダ端子）２３が係止される係止部３３ｄが形成されている。
【０３２５】
こうすれば、ヘッダ２０とソケット３０との嵌合保持力をより向上させることができるようになる。
【０３２６】
また、本実施形態では、ヘッダ側電源用端子（第２のヘッダ端子）２３には、ソケット側電源用端子（第２のソケット端子）３３の係止部３３ｄに係止される被係止部２３ｄが形成されている。
【０３２７】
こうすれば、ヘッダ２０とソケット３０との嵌合保持力をより一層向上させることができるようになる。
【０３２８】
また、本実施形態では、ソケットハウジング３１には、ソケット側保持金具３４が配設されており、ソケット側電源用端子（第２のソケット端子）３３が、ソケット側保持金具３４とは別体に設けられている。
【０３２９】
こうすれば、ソケット側電源用端子（第２のソケット端子）３３の構成やソケット側保持金具３４の構成をより簡素化させることができるようになる。
【０３３０】
また、ソケット側電源用端子（第２のソケット端子）３３とソケット側保持金具３４とを一体化させた場合に較べて、ソケット側電源用端子（第２のソケット端子）３３およびソケット側保持金具３４を、より正確に製造することができるようになる。
【０３３１】
また、本実施形態では、ヘッダハウジング２１には、ヘッダ側保持金具２４が配設されており、ヘッダ側電源用端子（第２のヘッダ端子）２３とヘッダ側保持金具２４とが一体に設けられている。
【０３３２】
こうすれば、ヘッダ側電源用端子（第２のヘッダ端子）２３で生じる熱をより効率よく放熱させることができるようになる。
【０３３３】
また、本実施形態では、ソケット側保持金具３４とヘッダ側保持金具２４とが電気的に接続されるようにしている。
【０３３４】
こうすれば、ソケット側電源用端子（第２のソケット端子）３３やヘッダ側電源用端子（第２のヘッダ端子）２３で生じる熱をより効率よく放熱させることができるようになる。その結果、定格電流をより向上させることができるようになる。
【０３３５】
以上、本発明の好適な実施形態について説明したが、本発明は上記実施形態には限定されず、種々の変形が可能である。
【０３３６】
例えば、上記実施形態では、ヘッダ２０が、平面視で当該ヘッダ２０の中心に対して点対称となるように形成されているとともに、ソケット３０が、平面視で当該ソケット３０の中心に対して点対称となるように形成されているもの（極性がないコネクタ）を例示した。
【０３３７】
しかしながら、極性を有するコネクタ（１８０度回転させた際に、同一の形状とならないようにしたコネクタ）に本発明を適用することも可能である。
【０３３８】
また、ヘッダ２０とソケット３０とを嵌合させた状態で、ヘッダ側保持金具とソケット側保持金具とが係合する構成とすることも可能である。
【０３３９】
また、第２のソケット端子および第２のヘッダ端子をグランド接続用の端子として用いることも可能である。こうすれば、グランド接続の信頼性をより向上させることができる。
【０３４０】
また、第２のソケット端子およびソケット側保持金具を別体に設けるとともに、第２のヘッダ端子および第２のソケット端子を電源用端子として用い、ソケット側保持金具およびヘッダ側保持金具をグランド接続用の端子として用いることも可能である。
【０３４１】
また、コネクタ接続体としてのヘッダに本発明を適用することも可能である。
【０３４２】
また、ソケット側ハウジングやヘッダ側ハウジング、その他細部のスペック（形状、大きさ、レイアウト等）も適宜に変更可能である。
【符号の説明】
【０３４３】
１０  コネクタ
２０  ヘッダ
２１  ヘッダハウジング
２２  ヘッダ側信号用端子（第１のヘッダ端子）
２３  ヘッダ側電源用端子（第２のヘッダ端子）
２４  ヘッダ側保持金具
３０  ソケット
３１  ソケットハウジング
３２  ソケット側信号用端子（第１のソケット端子）
３３  ソケット側電源用端子（第２のソケット端子）
３４  ソケット側保持金具
３５  第１の反転Ｕ字状部（第１のＵ字状部）
３６  第２の反転Ｕ字状部（第２のＵ字状部）
３７  第３の反転Ｕ字状部（第３のＵ字状部）
６０  第１の回路基板（回路基板）
Ｒ１〜Ｒ５  接点部
Ｘ  長手方向
Ｙ  短手方向（幅方向）
Ｚ  上下方向
【図１】
2020115494.tif 000003
【図２】
2020115494.tif 000004
【図３】
2020115494.tif 000005
【図４】
2020115494.tif 000006
【図５】
2020115494.tif 000007
【図６】
2020115494.tif 000008
【図７】
2020115494.tif 000009
【図８】
2020115494.tif 000010
【図９】
2020115494.tif 000011
【図１０】
2020115494.tif 000012
【図１１】
2020115494.tif 000013
【図１２】
2020115494.tif 000014
【図１３】
2020115494.tif 000015
【図１４】
2020115494.tif 000016
【図１５】
2020115494.tif 000017
【図１６】
2020115494.tif 000018
【図１７】
2020115494.tif 000019
【図１８】
2020115494.tif 000020
【図１９】
2020115494.tif 000021
【図２０】
2020115494.tif 000022
【図２１】
2020115494.tif 000023
【図２２】
2020115494.tif 000024
【図２３】
2020115494.tif 000025
【図２４】
2020115494.tif 000026
【図２５】
2020115494.tif 000027
【図２６】
2020115494.tif 000028